(57)【要約】  アイドルストップ中、内燃機関の再始動のためのクランキングを安定して行えるとともに、車両の制動力を適切に増加させることによって、車両の移動を確実に防止できる車両の停止制御装置を提供する。本発明の車両の停止制御装置では、再始動条件が成立したときに、バッテリ７から供給される電力を用い、スタータモータ６で内燃機関３をクランキングする（図５のステップ８）。また、バッテリ７から供給される電力によって駆動され、車両Ｖの制動力を増加させるための液圧ポンプ５５を備える。車両Ｖの停車中、車両Ｖの制動力の増加が必要であるか否かを判定し（図６）、その判定結果に応じて、液圧ポンプ５５を制御する。さらに、車両Ｖの制動力の増加が必要であると判定された場合において、クランキング中の所定期間内では、液圧ポンプ５５の作動を禁止する（図８のステップ３６、３７、４１）。
2014076753.tif 000002
【特許請求の範囲】
【請求項１】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、を備え、
前記制御手段は、前記車両の制動力の増加が必要であると判定された場合において、前記クランキング手段によるクランキング中の所定期間内では、前記制動力増加装置の作動を禁止することを特徴とする車両の停止制御装置。
【請求項２】
前記制御手段は、前記クランキングが終了するまで、前記制動力増加装置の作動を禁止し、前記クランキングが終了したときに、前記制動力増加装置を作動させることを特徴とする、請求項１に記載の車両の停止制御装置。
【請求項３】
前記クランキング手段によるクランキング時間を取得するクランキング時間取得手段をさらに備え、
前記制御手段は、前記取得されたクランキング時間が第１所定時間に達するまで、前記制動力増加装置の作動を禁止し、前記クランキング時間が前記第１所定時間に達したときに、前記制動力増加装置を作動させることを特徴とする、請求項１に記載の車両の停止制御装置。
【請求項４】
前記電源の電圧を取得する電圧取得手段をさらに備え、
前記制御手段は、前記クランキング中に取得された電源の電圧が所定電圧以上になるまで、前記制動力増加装置の作動を禁止し、前記電源の電圧が所定電圧以上になったときに、前記制動力増加装置を作動させることを特徴とする、請求項１に記載の車両の停止制御装置。
【請求項５】
前記制御手段は、前記制動力増加装置の作動を開始した後、所定時間が経過したときに、当該制動力増加装置を停止させることを特徴とする、請求項１ないし４のいずれかに記載の車両の停止制御装置。
【請求項６】
前記車両が停車している路面の勾配を検出する路面勾配検出手段と、
当該検出された路面の勾配に応じて前記所定時間を設定する所定時間設定手段と、をさらに備えることを特徴とする、請求項５に記載の車両の停止制御装置。
【請求項７】
前記制動力増加装置は、第１制動力増加装置及び第２制動力増加装置を有し、
前記制御手段は、前記クランキング時間が前記第１所定時間に達したときに、前記第１制動力増加装置を作動させ、その後、前記クランキング時間が前記第１所定時間よりも大きな第２所定時間に達したときに、前記第２制動力増加装置を作動させることを特徴とする、請求項３に記載の車両の停止制御装置。
【請求項８】
前記クランキング手段によるクランキング時間を取得するクランキング時間取得手段をさらに備え、
前記制動力増加装置は、第１制動力増加装置及び第２制動力増加装置を有し、
前記制御手段は、前記電源の電圧が前記所定電圧以上になったときに、前記第１制動力増加装置を作動させ、その後、前記取得されたクランキング時間が所定時間に達したときに、前記第２制動力増加装置を作動させることを特徴とする、請求項４に記載の車両の停止制御装置。
【請求項９】
前記第１制動力増加装置は、前記第２制動力増加装置よりも、電力が供給されてから制動力を発生させるまでの応答時間が短いという特性を有することを特徴とする、請求項７又は８に記載の車両の停止制御装置。
【請求項１０】
前記制動装置は、ホイールシリンダに供給されるブレーキ液圧によって前記車両を制動するように構成されており、
前記ホイールシリンダ内のブレーキ液圧を検出するホイールシリンダ圧検出手段をさらに備え、
前記制動力増加要否判定手段は、前記検出されたホイールシリンダ内のブレーキ液圧が所定圧力以下に低下したときに、前記制動力増加装置による制動力の増加が必要であると判定することを特徴とする、請求項１ないし９のいずれかに記載の車両の停止制御装置。
【請求項１１】
前記制御手段は、前記制動力増加装置を作動させた後、前記ホイールシリンダのブレーキ液圧が前記所定圧力を上回ったときに、前記制動力増加装置を停止させることを特徴とする、請求項１０に記載の車両の停止制御装置。
【請求項１２】
前記車両が停車している路面の勾配を検出する路面勾配検出手段と、
当該検出された路面の勾配に応じて前記所定圧力を設定する所定圧力設定手段と、をさらに備えることを特徴とする、請求項１０又は１１に記載の車両の停止制御装置。
【請求項１３】
前記車両の速度を検出する車速検出手段をさらに備え、
前記制動力増加要否判定手段は、前記検出された車両の速度が０でないときに、前記制動力増加装置による制動力の増加が必要であると判定することを特徴とする、請求項１ないし９のいずれかに記載の車両の停止制御装置。
【発明の詳細な説明】
【技術分野】
【０００１】
本発明は、車両の停車中に、内燃機関を自動的に停止・再始動させるとともに、車両の制動力を増加させるように制御する車両の停止制御装置に関する。
【背景技術】
【０００２】
従来のこの種の車両の停止制御装置として、例えば特許文献１に開示されたものが知られている。この車両に搭載された内燃機関は、所定の停止条件が成立したときに停止され、その後、所定の再始動条件が成立したときに再始動される、いわゆるアイドルストップ式のものである。車両は、通常の運転時に車両を制動する制動装置を備え、さらに車両の停車中に制動力を増加させるための液圧ポンプを備えている。【０００３】
この制動装置は、吸気管内の負圧を用い、ブレーキペダルの踏込み操作に応じてブレーキ液圧を発生させるマスタシリンダと、各車輪に設けられ、ホイールシリンダを有するブレーキユニットを有しており、マスタシリンダで発生したブレーキ液圧を、液圧回路を介してホイールシリンダに供給することによって、車両を制動する。液圧ポンプは、液圧回路の途中に設けられており、モータによって駆動される。【０００４】
この停止制御装置では、内燃機関の自動停止中に、フットブレーキの踏込みが解除されるなどの再始動条件が成立すると、バッテリからスタータモータに電力を供給することによって、内燃機関がクランキングされる。このクランキング中、モータによる液圧ポンプの作動が禁止されることで、クランキングに必要な電力が確保される。また、再始動の際のクランキングが失敗したことが検出され、かつフットブレーキが踏まれているときには、バッテリからモータに電力を供給することによって、液圧ポンプが駆動され、それにより、ホイールシリンダ内のブレーキ液圧を高め、車両の制動力を増加させることによって、停車中の車両の移動が防止される。
【先行技術文献】
【特許文献】
【０００５】
【特許文献１】特開２０１１−１４３８７５号公報
【発明の概要】
【発明が解決しようとする課題】
【０００６】
上述したように、従来の停止制御装置では、内燃機関の再始動の際に、クランキングが失敗したことが検出され、かつフットブレーキが踏まれていることを条件として、液圧ポンプが駆動される。しかし、上記の２つの条件が成立していても、例えば、自動停止後にすぐに再始動条件が成立したような場合には、ホイールシリンダの実際のブレーキ液圧が十分に保持されていることがある。従来の停止制御装置では、そのような場合にも、液圧ポンプが駆動されるため、電力が無駄に消費されてしまい、ひいては燃費の悪化を招く。また、再始動の際にクランキングが失敗しない限り、液圧ポンプは作動しないので、ホイールシリンダの実際のブレーキ液圧が不足している場合には、アイドルストップ中の車両の移動を確実に防止できないおそれがある。【０００７】
本発明は、このような課題を解決するためになされたものであり、アイドルストップ中、内燃機関の再始動のためのクランキングを安定して行えるとともに、車両の制動力を適切に増加させることによって、車両の移動を確実に防止することができる車両の停止制御装置を提供することを目的とする。
【課題を解決するための手段】
【０００８】
この目的を達成するために、本願の請求項１に係る発明は、制動装置５を有する車両Ｖに搭載された内燃機関３を、所定の停止条件が成立したときに停止させ、所定の再始動条件が成立したときに再始動させるとともに、車両Ｖの停車中、制動装置５による制動力を補うために車両Ｖの制動力を増加させるように制御する車両の停止制御装置であって、再始動条件が成立したときに、所定の電源（実施形態における（以下、本項において同じ）バッテリ７）から供給される電力を用いて内燃機関３をクランキングするクランキング手段（スタータモータ６）と、電源から供給される電力によって駆動され、車両Ｖの制動力を増加させるための制動力増加装置（液圧ポンプ５５、電動ブレーキ２０）と、車両Ｖの停車中、制動力増加装置による車両Ｖの制動力の増加が必要であるか否かを判定する制動力増加要否判定手段（ＥＣＵ２、図６）と、制動力増加要否判定手段による判定結果に応じて、制動力増加装置を制御する制御手段（ＥＣＵ２）と、を備え、制御手段は、車両Ｖの制動力の増加が必要であると判定された場合において、クランキング手段によるクランキング中の所定期間内では、制動力増加装置の作動を禁止すること（図８のステップ３６、３７、４１）を特徴とする。【０００９】
この内燃機関は、車両に搭載されており、所定の停止条件が成立したときに自動的に停止され、その後、所定の再始動条件が成立したときに自動的に再始動される、いわゆるアイドルストップ式のものである。上記の再始動条件が成立したときには、内燃機関を再始動させるために、所定の電源から供給される電力を用い、クランキング手段によって内燃機関がクランキングされる。【００１０】
また、本発明の停止制御装置によれば、クランキング手段と共通の電源から供給される電力によって駆動される制動力増加装置を備えるとともに、車両の停車中、制動力増加装置による車両の制動力の増加が必要であるか否かが判定され、その判定結果に応じて、制動力増加装置が制御される。また、車両の制動力の増加が必要であると判定された場合において、クランキング手段によるクランキング中の所定期間内では、制動力増加装置の作動が禁止される。【００１１】
以上のように、制動力増加装置による制動力の増加が必要であると判定された場合であっても、クランキング中の所定期間内では、制動力増加装置の作動が禁止され、クランキングが優先して実行される。これにより、制動力増加装置の作動に伴う電源の電圧の低下を防止し、クランキングに必要な電力を確保でき、したがって、内燃機関のクランキング及び再始動を安定して良好に行うことができる。同じ理由から、クランキングにより電源の電圧が低下した状態での電力不足による制動力増加装置の動作不良や故障を回避しながら、車両の制動力を適切に増加させることができ、それにより、アイドルストップ中の車両の移動を確実に防止することができる。また、車両の制動力の増加が必要であると判定された場合のみ、制動力増加装置を作動させるので、制動力増加装置の作動を、電力を無駄に消費することなく効率的に行うことができる。【００１２】
請求項２に係る発明は、請求項１に記載の車両の停止制御装置において、制御手段は、クランキングが終了するまで、制動力増加装置の作動を禁止し、クランキングが終了したときに、制動力増加装置を作動させること（図８のステップ３７、４８）を特徴とする。【００１３】
この構成によれば、内燃機関のクランキング中の全体にわたって、制動力増加装置の作動が禁止されるので、制動力増加装置の作動による電源の電圧の低下がない状態で、クランキング及び再始動をさらに安定して良好に行うことができる。また、その後、クランキングが終了したときに制動力増加装置を作動させるので、クランキングによる電源の電圧の低下に伴う制動力増加装置の動作不良や故障を確実に回避しながら、制動力増加装置を良好に作動させることができる。【００１４】
請求項３に係る発明は、請求項１に記載の車両の停止制御装置において、クランキング手段によるクランキング時間ＴＭＣＲＫを取得するクランキング時間取得手段（ＥＣＵ２）をさらに備え、制御手段は、取得されたクランキング時間ＴＭＣＲＫが第１所定時間ＴＲＥＦ１に達するまで、制動力増加装置の作動を禁止し、クランキング時間ＴＭＣＲＫが第１所定時間ＴＲＥＦ１に達したときに、制動力増加装置を作動させること（図８のステップ３６、３７、４１）を特徴とする。【００１５】
この構成によれば、クランキングの開始後、第１所定時間が経過するまで、制動力増加装置の作動が禁止されるので、その作動による電源の電圧の低下を防止しながら、クランキング及び再始動を安定して行うことができる。また、クランキング時間が第１所定時間に達したときに制動力増加装置を作動させるので、車両の制動力を可能な限り速やかに増加させることができ、アイドルストップ中の車両の移動を確実に防止することができる。【００１６】
請求項４に係る発明は、請求項１に記載の車両の停止制御装置において、電源の電圧（バッテリ電圧ＶＢ）を取得する電圧取得手段（電圧センサ６８）をさらに備え、制御手段は、クランキング中に取得された電源の電圧が所定電圧ＶＲＥＦ以上になるまで、制動力増加装置の作動を禁止し、電源の電圧が所定電圧ＶＲＥＦ以上になったときに、制動力増加装置を作動させること（図１１のステップ３６Ａ、３７、４１）を特徴とする。【００１７】
電源から供給される電力を用いてクランキングを行う場合、一般に、その電源の電圧は、クランキングの開始直後に大きく低下し、その後、徐々に上昇し、回復するという特性を有する。上記の構成によれば、クランキングの開始後、取得された電源の電圧が所定電圧以上になるまで、制動力増加装置の作動が禁止されるので、その作動による電源の電圧の低下を防止しながら、クランキング及び再始動を安定して行うことができる。また、その後、電源の電圧が所定電圧以上になったときに、制動力増加装置を作動させるので、電源の電圧が実際に十分に回復した状態で、制動力増加装置の作動を良好に行うことができる。【００１８】
請求項５に係る発明は、請求項１ないし４のいずれかに記載の車両の停止制御装置において、制御手段は、制動力増加装置の作動を開始した後、所定時間ＴＢＲＲＥＦが経過したときに、制動力増加装置を停止させること（図８のステップ４２、４３、４９、５０）を特徴とする。【００１９】
この構成によれば、制動力増加装置が所定時間、作動することで、その作動時間が十分に確保されるので、車両の制動力を確実に増加させることができる。【００２０】
請求項６に係る発明は、請求項５に記載の車両の停止制御装置において、車両Ｖが停車している路面の勾配ＡＳＬＰを検出する路面勾配検出手段（加速度センサ６７）と、検出された路面の勾配ＡＳＬＰに応じて所定時間ＴＢＲＲＥＦを設定する所定時間設定手段（ＥＣＵ２）と、をさらに備えることを特徴とする。【００２１】
アイドルストップ中における車両の移動のしやすさは、車両が停止している路面の勾配に応じて異なり、路面勾配が大きいほど、車両は移動しやすくなる。上記の構成によれば、検出された路面の勾配に応じて、制動力増加装置の実際の作動時間を定める所定時間が設定される。したがって、路面勾配による車両の移動しやすさに応じた適切な時間、制動力増加装置を作動させることができる。【００２２】
請求項７に係る発明は、請求項３に記載の車両の停止制御装置において、制動力増加装置は、第１制動力増加装置（液圧ポンプ５５）及び第２制動力増加装置（電動ブレーキ２０）を有し、制御手段は、クランキング時間ＴＭＣＲＫが第１所定時間ＴＲＥＦ１に達したときに、第１制動力増加装置を作動させ、その後、クランキング時間ＴＭＣＲＫが第１所定時間ＴＲＥＦ１よりも大きな第２所定時間ＴＲＥＦ２に達したときに、第２制動力増加装置を作動させること（図１３のステップ６１、６３、６７、７４）を特徴とする。【００２３】
この構成によれば、アイドルストップ状態からのクランキングの開始後、第１所定時間が経過したときに、まず第１制動力増加装置を作動させ、その後、クランキングの開始時から第２所定時間が経過したときに、第２制動力増加装置を作動させることによって、車両の制動力を段階的に増加させるので、車両を効率的かつ強固に制動でき、アイドルストップ中の車両の移動を確実に防止することができる。【００２４】
請求項８に係る発明は、請求項４に記載の車両の停止制御装置において、クランキング手段によるクランキング時間ＴＭＣＲＫを取得するクランキング時間取得手段（ＥＣＵ２）をさらに備え、制動力増加装置は、第１制動力増加装置（液圧ポンプ５５）及び第２制動力増加装置（電動ブレーキ２０）を有し、制御手段は、電源の電圧が所定電圧ＶＲＥＦ以上になったときに、第１制動力増加装置を作動させ、その後、取得されたクランキング時間ＴＭＣＲＫが所定時間（第２所定時間ＴＲＥＦ２）に達したときに、第２制動力増加装置を作動させること（図１５のステップ６１Ａ、６３、６７、７４）を特徴とする。【００２５】
この構成によれば、クランキングの開始後、電源の電圧が所定電圧以上になったときに、第１制動力増加装置を作動させるので、電源の電圧が実際に十分に回復した状態で、第１制動力増加装置の作動を良好に行うことができる。また、その後、クランキングの開始時から第２所定時間が経過したときに、第２制動力増加装置を作動させるので、車両の制動力をさらに増加させ、車両をより強固に制動でき、アイドルストップ中の車両の移動を確実に防止することができる。【００２６】
請求項９に係る発明は、請求項７又は８に記載の車両の停止制御装置において、第１制動力増加装置は、第２制動力増加装置よりも、電力が供給されてから制動力を発生させるまでの応答時間が短いという特性を有することを特徴とする。【００２７】
この構成によれば、第１及び第２制動力増加装置のうち、電力が供給されてから制動力を発生させるまでの応答特性がより高い第１制動力増加装置を先に作動させるので、制動力がより迅速に増加することによって、アイドルストップ中の車両の移動をより確実に防止することができる。【００２８】
請求項１０に係る発明は、請求項１ないし９のいずれかに記載の車両の停止制御装置において、制動装置５は、ホイールシリンダ１６に供給されるブレーキ液圧によって車両Ｖを制動するように構成されており、ホイールシリンダ１６内のブレーキ液圧（ホイールシリンダ圧ＰＷＣ）を検出するホイールシリンダ圧検出手段（ホイールシリンダ圧センサ６２）をさらに備え、制動力増加要否判定手段は、検出されたホイールシリンダ１６内のブレーキ液圧が所定圧力ＰＲＥＦ以下に低下したときに、制動力増加装置による制動力の増加が必要であると判定すること（図６のステップ２４、２５）を特徴とする。【００２９】
この構成によれば、制動装置は、ホイールシリンダに供給されるブレーキ液圧によって車両を制動するように構成されており、検出されたホイールシリンダ内のブレーキ液圧が所定圧力以下に低下したときに、制動力増加装置による制動力の増加が必要であると判定される。これにより、制動装置を駆動するホイールシリンダ内のブレーキ液圧の実際の低下状態に応じて、制動力増加装置を適切に作動させ、必要な制動力を効果的に得ることができる。【００３０】
請求項１１に係る発明は、請求項１０に記載の車両の停止制御装置において、制御手段は、制動力増加装置を作動させた後、ホイールシリンダのブレーキ液圧が所定圧力ＰＲＥＦを上回ったときに、制動力増加装置を停止させることを特徴とする。【００３１】
この構成によれば、制動力増加装置を作動させた後、ブレーキ液圧が実際に十分に回復した状態で、制動力増加装置を停止させることができ、したがって、車両の制動力を確実に増加させるとともに、制動力増加装置の作動を効率的に行うことができる。【００３２】
請求項１２に係る発明は、請求項１０又は１１に記載の車両の停止制御装置において、車両Ｖが停車している路面の勾配ＡＳＬＰを検出する路面勾配検出手段（加速度センサ６７）と、検出された路面の勾配ＡＳＬＰに応じて所定圧力ＰＲＥＦを設定する所定圧力設定手段（ＥＣＵ２、図６のステップ２３、図７）と、をさらに備えることを特徴とする。【００３３】
前述したように、アイドルストップ中における車両の移動のしやすさは、車両が停止している路面の勾配に応じて異なる。上記の構成によれば、検出された路面の勾配に応じて、制動力増加装置の作動又は停止の可否を判定するための所定圧力が設定される。したがって、ホイールシリンダのブレーキ液圧と設定された所定圧力との比較結果に基づき、車両の移動しやすさに応じて、制動力増加装置の作動又は停止を適切に制御することができる。【００３４】
請求項１３に係る発明は、請求項１ないし９のいずれかに記載の車両の停止制御装置において、車両Ｖの速度（車速ＶＰ）を検出する車速検出手段（車輪速センサ６４）をさらに備え、制動力増加要否判定手段は、検出された車両の速度が０でないときに、制動力増加装置による制動力の増加が必要であると判定すること（図６のステップ２６、２５）を特徴とする。【００３５】
この構成によれば、検出された車両の速度が０でないとき、制動力増加装置による制動力の増加が必要であると判定するので、車両が実際に少しでも移動するのに応じて制動力増加装置を作動させることができ、車両のそれ以上の移動を確実に防止することができる。また、車速検出手段は、車両や内燃機関の制御のために通常、設けられているものであるので、そのような既存のデバイスを利用し、コストの上昇を招くことなく、上記の作用を得ることができる。
【図面の簡単な説明】
【００３６】
【図１】本発明を適用した車両を概略的に示す図である。
【図２】電動ブレーキの概略構成を示す断面図である。
【図３】制動装置の構成を示す回路図である。
【図４】車両の停止制御装置を示すブロック図である。
【図５】アイドルストップ制御処理を示すフローチャートである。
【図６】車両の制動力の増加要否判定処理を示すフローチャートである。
【図７】図６の処理において所定圧力の設定に用いられるマップである。
【図８】第１実施形態による制動力制御処理を示すフローチャートである。
【図９】図８の処理によって得られる動作例を示すタイミングチャートである。
【図１０】図８の処理によって得られる、図９と異なる動作例を示すタイミングチャートである。
【図１１】第１実施形態の変形例による制動力制御処理の一部を示すフローチャートである。
【図１２】図１１の処理によって得られる動作例を示すタイミングチャートである。
【図１３】第２実施形態による制動力制御処理の一部を示すフローチャートである。
【図１４】図１３の処理によって得られる動作例を示すタイミングチャートである。
【図１５】第２実施形態の変形例による制動力制御処理の一部を示すフローチャートである。
【図１６】図１５の処理によって得られる動作例を示すタイミングチャートである。
【発明を実施するための形態】
【００３７】
以下、図面を参照しながら、本発明の好ましい実施形態を詳細に説明する。図１は、本発明を適用した車両Ｖを概略的に示している。同図に示すように、車両Ｖは、左右の前輪ＷＦＬ、ＷＦＲ及び左右の後輪ＷＲＬ、ＷＲＲ（以下、総称するときには「車輪Ｗ」という）を有する前輪駆動式の四輪車両であり、その前部に搭載された内燃機関（以下「エンジン」という）３と、エンジン３の動力を変速するための自動変速機４と、車両Ｖを制動する制動装置５（図３参照）などを備えている。
【００３８】
エンジン３は、ガソリンエンジンであり、後述するように、所定の停止条件が成立したときに停止され、所定の再始動条件が成立したときに再始動される、いわゆるアイドルストップが行われるものである。また、エンジン３の始動は、バッテリ７（図４参照）から供給される電力を用いてスタータモータ６を駆動することで、クランクシャフト（図示せず）を回転（クランキング）させるとともに、燃料噴射弁８から燃料を噴射することによって、行われる。
【００３９】
自動変速機４は、エンジン３のクランクシャフトに連結されたトルクコンバータと、「１、２、３、Ｄ４、Ｄ５、Ｎ、Ｒ、Ｐ」からなる８つのシフトポジションを選択可能なシフトレバーと、１〜５速及びリバースから成る６種類の変速段に切換可能なギヤ機構（いずれも図示せず）などを備えている。自動変速機４のトルクコンバータの出力軸（図示せず）は、終減速機構８及び左右のドライブシャフト９、９を介して、左右の前輪ＷＦＬ、ＷＦＲに連結されており、それにより、エンジン３の動力が前輪ＷＦＬ、ＷＦＲに伝達される。
【００４０】
図３に示すように、制動装置５は、作動油などのブレーキ液を用いた液圧式のものであり、ブレーキペダル１１と、マスターシリンダ１２と、液圧回路１３と、各車輪Ｗに設けられたディスクブレーキ１４などで構成されている。ディスクブレーキ１４は、車輪Ｗと一体のディスク１５（図１参照）と、その両側に配置された一対の可動のブレーキパッド（図示せず）と、ブレーキパッドを駆動するためのピストン（図示せず）及びホイールシリンダ１６などを有している。車両Ｖの運転者によってブレーキペダル１１が踏まれると、マスターシリンダ１２で発生したブレーキ液圧が液圧回路１３を介してホイールシリンダ１６に供給されることにより、ブレーキパッドが駆動され、ディスク１５を挟み込むことによって、車両Ｖが制動される。制動装置５の構成及び動作の詳細については後述する。
【００４１】
また、左右の後輪ＷＲＬ、ＷＲＲにはそれぞれ、上述した制動装置５とは別個に電動ブレーキ２０が設けられている。図２に示すように、電動ブレーキ２０は、車両Ｖの車体（図示せず）に一体に設けられたキャリパボディ２１と、キャリパボディ２１内に固定されたナット２２と、ナット２２にねじ込まれ、軸線方向に移動自在のねじ２３と、キャリパボディ２１の凹部２１ａに収容された一対のブレーキパッド２４ａ、２４ｂと、ねじ２３の一端部に回転軸２５ａが連結されたブレーキモータ２５を有している。一方のブレーキパッド２４ａは、凹部２１ａの壁面に取り付けられ、他方のブレーキパッド２４ｂは、ねじ２３の他端部に取り付けられており、両ブレーキパッド２４ａ、２４ｂの間に、ディスクブレーキ１４のディスク１５が配置されている。
【００４２】
以上の構成により、ブレーキモータ２５が正転すると、ねじ２３が回転しながらディスク１５側に移動することにより、それと一緒にブレーキパッド２４ｂが移動し、ブレーキパッド２４ａとの間にディスク１５を挟み付けることによって、後輪ＷＲＬ、ＷＲＲが制動される。この状態からブレーキモータ２５が逆転すると、上記と逆の作用により、ブレーキパッド２４ｂがブレーキモータ２５側に移動し、ディスク１５から離れることによって、後輪ＷＲＬ、ＷＲＲの制動が解除される。このような電動ブレーキ２０の動作は、車両Ｖの運転席に設けられた電動ブレーキスイッチ（図示せず）の操作状態に応じて行われるとともに、後述するＥＣＵ２からの制御信号によって制御される。
【００４３】
次に、図３を参照しながら、前述した制動装置５の構成を詳細に説明する。制動装置５のマスターシリンダ１２は、各２つの液圧室及びピストン（いずれも図示せず）を有するタンデム型のものである。各液圧室にはリザーバ３１からブレーキ液が供給され、一方のピストンはブレーキペダル１１に連結されている。また、ブレーキペダル１１とマスターシリンダ１２の間には、ブレーキブースタ３２が設けられている。ブレーキブースタ３２は、エンジン３の運転時に吸気管内に発生する負圧を利用して、ピストンに作用するアシスト力を発生させ、ブレーキペダル１１の操作力をアシストする。
【００４４】
ブレーキペダル１１が操作されると、２つのピストンが移動し、各液圧室内のブレーキ液を加圧することによって、ブレーキブースタ３１でアシストされたブレーキペダル１１の操作力に応じたブレーキ液圧が発生し、各液圧室に連通する第１出力ポート３３ａ及び第２出力ポート３３ｂからそれぞれ出力される。
【００４５】
制動装置５の液圧回路１３は、第１出力ポート３３ａと左前輪ＷＦＬ及び右後輪ＷＲＲのホイールシリンダ１６、１６との間に接続された第１液圧回路１３Ａと、第２出力ポート３３ｂと右前輪ＷＦＲ及び左後輪ＷＲＬのホイールシリンダ１６、１６との間に接続された第２液圧回路１３Ｂで構成されている。
【００４６】
これらの２系統の液圧回路１３Ａ、１３Ｂは互いに同じ構成を有するので、以下、第１液圧回路１３Ａを例にとり、その構成を説明する。また、以下の説明において、後述する各種の液路などに関して「上流側」というときには、マスターシリンダ１２側を意味し、「下流側」というときには、ホイールシリンダ１６側を意味するものとする。
【００４７】
マスターシリンダ１２の第１出力ポート３３ａには第１液路４１が接続されている。この第１液路４１の下流側には、ＶＳＡ（Vehicle Stability Assist）用の第１制御弁４２及び第２制御弁４３が並列に設けられており、第１制御弁４２にはさらにチェック弁４４が並列に設けられている。
【００４８】
第１制御弁４２は、ブレーキ液の双方向の流れを許容する常開型の電磁弁で構成されており、その下流側は、第２液路４５を介してリザーバ４６に接続されている。チェック弁４４は、第１制御弁４２の上流側から下流側へのブレーキ液の流れを許容するように配置されている。
【００４９】
第２制御弁４３は、上流側からのブレーキ液の流れのみを許容する常閉型の電磁弁で構成されており、その下流側は、第３液路４７を介して第２液路４５に接続されている。また、第２液路４５には、第３液路４７の接続部よりもリザーバ４６側の位置に、リザーバ４６側からのブレーキ液の流れを許容するチェック弁４８が設けられている。
【００５０】
上記の第２液路４５には、２つの第４液路４９、４９が並列に接続されており、これらの第４液路４９、４９は、左前輪ＷＦＬ及び右後輪ＷＲＲのホイールシリンダ１６、１６にそれぞれ接続されている。各第４液路４９には、流入弁５０とチェック弁５１が並列に設けられている。流入弁５０は、ブレーキ液の双方向の流れを許容する常開型の電磁弁で構成されている。また、チェック弁５１は、流入弁５０の下流側から上流側へのブレーキ液の流れを許容するように配置されている。
【００５１】
また、各第４液路４９の流入弁５０よりも下流側から第５液路５２が分岐しており、各第５液路５２には流出弁５３が設けられている。流出弁５３は、流入弁５０側からのブレーキ液の流れのみを許容する常閉型の電磁弁で構成されている。第５液路５２、５２は第６液路５４に合流し、この第６液路５４は、第２液路４５のチェック弁４８よりもリザーバ４６側に接続されている。
【００５２】
第２液路４５には、第３液路４７の接続部よりも反リザーバ４６側の位置に、液圧ポンプ５５が設けられ、この液圧ポンプ５５は液圧モータ５６に連結されている。液圧モータ５６は、ＥＣＵ２からの駆動信号に基づき、バッテリ７から供給される電力によって駆動され、それにより、液圧ポンプ５５が駆動される。
【００５３】
次に、上述した構成の制動装置５の基本動作を説明する。車両Ｖ及びエンジン３の通常の運転状態では、制動装置５は、図３に示す通常モードに制御される。すなわち、制動装置５のすべての第１制御弁４１、第２制御弁４２、流入弁５０及び流出弁５３が、非励磁状態に制御されるとともに、液圧モータ５６及び液圧ポンプ５５が停止される。
【００５４】
この通常モードにおいて、フットブレーキ１１が踏み込まれると、その操作力とブレーキブースタ３２によるアシスト力との和に応じて加圧されたブレーキ液圧（マスターシリンダ圧ＰＭＣ）が、マスターシリンダ１２において発生する。このブレーキ液圧は、第１及び第２出力ポート３３ａ、３３ｂから第１及び第２液圧回路１３Ａ、１３Ｂの各第１液路４１に出力され、さらに第１制御弁４２、流入弁５０及び第４液路４９を介して、各車輪Ｗのホイールシリンダ１６に供給される。これにより、各車輪Ｗにおいてディスクブレーキ１４が作動し、車両Ｖはホイールシリンダ圧ＰＷＣに応じた制動力で制動される。
【００５５】
また、車両Ｖの制動力を増加させる場合には、通常モードにおける制御状態から、第１制御弁４２を励磁・閉弁させ、第２制御弁４３を励磁・開弁させるとともに、液圧モータ５６を駆動し、液圧ポンプ５５を作動させる（加圧モード）。この加圧モードでは、液圧ポンプ５５によってブレーキ液がリザーバ４６から汲み上げられ、加圧されるとともに、加圧されたブレーキ液圧が第２液路４５、流入弁５０及び第４液路４９を介して、ホイールシリンダ１６に供給される。これにより、ホイールシリンダ圧ＰＷＣが増大し、車両Ｖの制動力が増加される。
【００５６】
また、上記の加圧モードの後などには、車両Ｖの制動力を保持するために、加圧モードにおける制御状態から、第２制御弁４３を非励磁状態にし、閉弁させる（保持モード）。この保持モードでは、マスターシリンダ１２に通じる第１液路４１が第１制御弁４２で閉鎖されるとともに、第２液路４５からリザーバ４６へのブレーキ液の戻りがチェック弁４８で阻止されることによって、ホイールシリンダ１６からのブレーキ液の流出が阻止される。それにより、ホイールシリンダ圧ＰＷＣが保持され、車両Ｖの制動力が保持される。なお、保持モードは、車両Ｖの発進の際に解除され、上述した通常モードに復帰する。
【００５７】
以上のように、液圧ポンプ５５は、液圧モータ５６で駆動され、加圧したブレーキ液圧を伝達することによって、車両Ｖの制動力を増加させるように構成されている。これに対し、前述した電動ブレーキ２０は、ブレーキモータ２５でねじ２３を回転・移動させることによって、制動力を得るように構成されている。このため、両者を比較した場合、モータ（液圧モータ５６又はブレーキモータ２５）に電力が供給されてから制動力を実際に発生するまでの応答時間は、液圧ポンプ５５の方が短く、すなわち、液圧ポンプ５５は、電動ブレーキ２０よりも応答性がより高いという特性を有する。
【００５８】
また、上述した制動装置５の制御を含む各種の制御を実行するために、車両Ｖ及びエンジン３の運転状態を検出するセンサ類が、以下のように設けられている。まず、第１液路４１には、マスターシリンダ圧ＰＭＣを検出するマスターシリンダ圧センサ６１が設けられ、第２液路４５には、ホイールシリンダ圧ＰＷＣを検出するホイールシリンダ圧センサ６２が設けられており、それらの検出信号はＥＣＵ２に出力される（図４参照）。
【００５９】
また、図４に示すように、ＥＣＵ２には、クランク角センサ６３から、エンジン３のクランクシャフトの回転速度を表すＣＲＫ信号が入力され、車輪速センサ６４から、各車輪Ｗの回転速度を表すＶＷ信号が入力される。ＥＣＵ２は、ＣＲＫ信号に基づき、エンジン３の回転数（以下「エンジン回転数」という）ＮＥを算出し、ＶＷ信号に基づき、車両Ｖの速度である車速ＶＰを算出する。
【００６０】
さらに、ＥＣＵ２には、アクセル開度センサ６５から、アクセルペダル（図示せず）の開度（以下「アクセル開度」という）ＡＰを表す検出信号が、シフトポジションセンサ６６から、シフトレバーのシフトポジションＳＰを表す検出信号が、加速度センサ６７から、車両Ｖの前後加速度ＧＦＲを表す検出信号が、それぞれ入力される。
【００６１】
また、ＥＣＵ２には、電圧センサ６８から、バッテリ７の電圧（以下「バッテリ電圧」という）ＶＢを表す検出信号が入力される。ＥＣＵ２は、この検出信号などに基づいて、バッテリ７の充電残量（以下「バッテリ残量」という）ＳＯＣを算出する。
【００６２】
さらに、ＥＣＵ２には、イグニッションスイッチ６９から、そのオン／オフ状態を表す検出信号が、ブレーキスイッチ７０から、ブレーキペダル１１のオン／オフ状態を表す検出信号が、それぞれ入力される。
【００６３】
ＥＣＵ２は、ＣＰＵ、ＲＡＭ、ＲＯＭ及び入力インターフェース（いずれも図示せず）などから成るマイクロコンピュータで構成されている。ＥＣＵ２は、上述した各種のセンサ６１〜６８及びスイッチ６９、７０の検出信号に応じ、ＲＯＭに記憶された制御プログラムなどに基づいて、エンジン３及び車両Ｖの運転状態を判別するとともに、その判別結果に基づいて、エンジン３及び車両Ｖの制動力の制御を含む各種の制御処理を実行する。
【００６４】
より具体的には、ＥＣＵ２は、スタータモータ６及び燃料噴射弁８を制御することによって、エンジン３のアイドルストップ制御を実行する。また、電磁弁でそれぞれ構成された、制御装置５の第１制御弁４２、第２制御弁４３、流入弁５０及び流出弁５３の励磁／非励磁を個別に制御するとともに、液圧モータ５６及びブレーキモータ２５をそれぞれ介して液圧ポンプ５５及び電動ブレーキ２０を制御することにより、車両Ｖの制動力制御を実行する。
【００６５】
なお、本実施形態では、ＥＣＵ２が、制動力増加要否判定手段、制御手段、クランキング時間取得手段、所定時間設定手段、及び所定圧力設定手段に相当する。また、液圧モータ５６で駆動される液圧ポンプ５５が第１制動力増加装置に相当し、ブレーキモータ２５で駆動される電動ブレーキ２０が第２制動力増加装置に相当する。
【００６６】
次に、図５〜図１６を参照しながら、ＥＣＵ２で実行される制御処理について説明する。図５に示すアイドルストップ制御処理は、エンジン３のアイドルストップとその後の再始動を制御するものであり、所定時間ごとに実行される。
【００６７】
本処理ではまず、ステップ１（「Ｓ１」と図示。以下同じ）において、エンジン３の所定の停止条件が成立しているか否かを判定する。この停止条件は、以下の複数の条件（ａ）〜（ｇ）で構成されている。
（ａ）イグニッションスイッチ６９がオン状態であること
（ｂ）エンジン回転数ＮＥが所定値以上であること
（ｃ）車速ＶＰが所定値以下であること
（ｄ）アクセル開度ＡＰがほぼ０であること
（ｅ）シフトポジションＳＰがＰ、Ｒ、Ｎ以外であること
（ｆ）ブレーキスイッチ７０がオン状態であること
（ｇ）バッテリ残量ＳＯＣが所定値以上であること
【００６８】
これらの条件（ａ）〜（ｇ）がすべて成立しているときには、停止条件が成立していると判定し、アイドルストップフラグＦ＿ＩＤＬＳＴＰが「１」にセットされる一方、条件（ａ）〜（ｇ）のいずれかが成立していないときには、停止条件が成立していないと判定し、アイドルストップフラグＦ＿ＩＤＬＳＴＰが「０」にセットされる。
【００６９】
次に、ステップ２では、上記アイドルストップフラグＦ＿ＩＤＬＳＴＰが「１」であるか否かを判別する。この答がＹＥＳのときには、アクセル開度ＡＰが所定の再始動判定用開度ＡＰＳＴ以上であるか否かを判別する（ステップ３）。この答がＮＯのときには、燃料噴射弁８からの燃料の噴射を停止し、エンジン３を停止状態に制御することによって、アイドルストップを実行する（ステップ４）。
【００７０】
一方、上記ステップ３の答がＹＥＳのとき、すなわち、アイドルストップ中にアクセルペダルが踏み込まれ、アクセル開度ＡＰが再始動判定用開度ＡＰＳＴ以上になったときには、エンジン３の再始動条件が成立したとして、アイドルストップフラグＦ＿ＩＤＬＳＴＰを「０」にリセットし（ステップ５）、再始動フラグＦ＿ＲＥＳＴＡＲＴを「１」にセットする（ステップ６）とともに、アップカウント式のタイマで計時されるクランキング時間ＴＭＣＲＫを０にリセットする（ステップ７）。そして、エンジン３を再始動させるために、クランキングを開始し（ステップ８）、本処理を終了する。
【００７１】
上記のようにクランキングが開始された後には、前記ステップ２の答がＮＯになり、その場合には、ステップ９に進み、再始動フラグＦ＿ＲＥＳＴＡＲＴが「１」であるか否かを判別する。クランキングの開始後には、このステップ９の答がＹＥＳになり、その場合には、エンジン回転数ＮＥが所定のアイドル回転数ＮＥＩＤＬ以上であるか否かを判別する（ステップ１０）とともに、クランキング時間ＴＭＣＲＫが第３所定時間ＴＲＥＦ３以上であるか否かを判別する（ステップ１１）。これらのステップ１０及び１１の答がいずれもＮＯのときには、前記ステップ８に進み、クランキングを継続する。
【００７２】
一方、前記ステップ１０の答がＹＥＳのときには、クランキングによってエンジン回転数ＮＥがアイドル回転数ＮＥＩＤＬ以上に立ち上がり、再始動が完了したとして、再始動フラグＦ＿ＲＥＳＴＡＲＴを「０」にリセットする（ステップ１２）とともに、クランキングを終了し（ステップ１３）、本処理を終了する。
【００７３】
また、前記ステップ１１の答がＹＥＳで、ＴＭＣＲＫ≧ＴＲＥＦ３のとき、すなわち、エンジン回転数ＮＥがアイドル回転数ＮＥＩＤＬまで上昇しないまま、クランキングの開始後、第３所定時間ＴＲＥＦ３が経過したときには、始動不良が発生していると判定して、前記ステップ１３に進み、クランキングを終了する。また、前記ステップ９の答がＮＯで、アイドルストップ中でも再始動中でもないときには、そのまま本処理を終了する。
【００７４】
次に、図６を参照しながら、車両Ｖの制動力の増加要否判定処理について説明する。本処理は、エンジン３のアイドルストップ中や再始動中に、制動装置５による制動力の不足を補うために、液圧ポンプ５６の作動などにより制動力を増加させる必要があるか否かを判定するものであり、所定時間ごとに実行される。
【００７５】
本処理では、まずステップ２１において、アイドルストップフラグＦ＿ＩＤＬＳＴＰ又は再始動フラグＦ＿ＲＥＳＴＡＲＴが「１」であるか否かを判別する。この答がＮＯで、アイドルストップ中でも再始動中でもないときには、そのまま本処理を終了する。
【００７６】
上記ステップ２１の答がＹＥＳで、アイドルストップ中、又は再始動中のときには、そのときに車両Ｖが停車している路面の勾配ＡＳＬＰを算出する（ステップ２２）。この路面勾配ＡＳＬＰの算出は、加速度センサ６７で検出された前後加速度ＧＦＲに基づいて行われる。
【００７７】
次に、算出された路面勾配ＡＳＬＰに応じ、図７に示すマップを検索することによって、所定圧力ＰＲＥＦを算出する（ステップ２３）。このマップでは、所定圧力ＰＲＥＦは、路面勾配ＡＳＬＰが０で路面が平坦なときに、最小値に設定され、上り勾配又は下り勾配のいずれの場合にも、勾配が大きいほど、より大きな値に設定されている。
【００７８】
次に、検出されたホイールシリンダ圧ＰＷＣが、設定された所定圧力ＰＲＥＦよりも大きいか否かを判別する（ステップ２４）。この答がＮＯで、ＰＷＣ≦ＰＲＥＦのときには、ホイールシリンダ圧ＰＷＣが不足しているため、車両Ｖの制動力を増加させる必要があると判定し、そのことを表すために、制動力増加要求フラグＦ＿ＢＦＲＥＱを「１」にセットし（ステップ２５）、本処理を終了する。
【００７９】
前記ステップ２４の答がＹＥＳのときには、車速ＶＰがほぼ０であるか否かを判別する（ステップ２６）。この答がＮＯのときには、車両Ｖが実際にわずかでも移動していることから、それ以上の車両Ｖの移動を阻止するために、車両Ｖの制動力を増加させる必要があると判定し、前記ステップ２５に進み、制動力増加要求フラグＦ＿ＢＦＲＥＱを「１」にセットする。
【００８０】
一方、前記ステップ２６の答がＹＥＳで、ホイールシリンダ圧ＰＷＣ＞所定圧力ＰＲＥＦが成立し、かつ車速ＶＰがほぼ０のときには、車両Ｖの制動力を増加させる必要がないと判定し、制動力増加要求フラグＦ＿ＢＦＲＥＱを「０」にセットした（ステップ２７）後、本処理を終了する。
【００８１】
次に、図８を参照しながら、第１実施形態による車両Ｖの制動力制御処理について説明する。本処理は、エンジン３のアイドルストップ中、及び再始動中に、クランキングの状況や、図６の処理によって得られた制動力の増加要否の判定結果などに応じて、車両Ｖの制動力を制御するものであり、所定時間ごとに実行される。
【００８２】
本処理では、まずステップ３１において、アイドルストップフラグＦ＿ＩＤＬＳＴＰが「１」であるか否かを判別する。この答がＹＥＳで、アイドルストップ中のときには、車両Ｖの制動力を維持するために。制動装置５を前述した保持モードに制御し（ステップ３３）、本処理を終了する。
【００８３】
一方、前記ステップ３１の答がＮＯのときには、制動力増加要求フラグＦ＿ＢＦＲＥＱが「１」であるか否かを判別する（ステップ３４）。この答がＮＯで、車両Ｖの制動力を増加させる必要がないと判定されているときには、そのまま本処理を終了する。
【００８４】
ステップ３４の答がＹＥＳで、車両Ｖの制動力の増加が必要であると判定されているときには、再始動フラグＦ＿ＲＥＳＴＡＲＴが「１」であるか否かを判別する（ステップ３５）。この答がＹＥＳで、再始動中のときには、クランキング時間ＴＭＣＲＫが前記第３所定時間ＴＲＥＦ３よりも小さな第１所定時間ＴＲＥＦ１以上であるか否かを判別する（ステップ３６）。
【００８５】
このステップ３６の答がＮＯのときには、液圧ポンプ５５の作動を禁止し（ステップ３７）、本処理を終了する。すなわち、車両Ｖの制動力の増加が必要と判定されている場合において、クランキングの開始後、第１所定時間ＴＲＥＦ１が経過していないときには、液圧ポンプ５５の作動が禁止され、クランキングが継続して行われる。
【００８６】
一方、前記ステップ３６の答がＹＥＳで、クランキングの開始後、第１所定時間ＴＲＥＦ１が経過したときには、液圧ポンプ作動フラグＦ＿ＢＲ１が「１」であるか否かを判別する（ステップ３８）。この答がＮＯで、液圧ポンプ５５がまだ作動していないときには、液圧ポンプ作動フラグＦ＿ＢＲ１を「１」にセットし（ステップ３９）、アップカウント式のタイマで計時されるポンプ作動時間ＴＭＢＲ１を０にリセットした（ステップ４０）後、液圧モータ５６を駆動することで、液圧ポンプ５５の作動を開始し（ステップ４１）、本処理を終了する。
【００８７】
このように液圧ポンプ５５を作動させるとともに、制動装置５の液圧回路１３を前述した加圧モードに制御することにより、液圧ポンプ５５で加圧されたブレーキ液圧が、液圧回路１３を介してホイールシリンダ１６に供給されることによって、ホイールシリンダ１６内のブレーキ液圧が上昇し、車両Ｖの制動力が増加される。
【００８８】
前記ステップ３８の答がＹＥＳで、液圧ポンプ５５がすでに作動しているときには、ポンプ作動時間ＴＭＢＲ１が所定時間ＴＢＲＲＥＦ以上であるか否かを判別する（ステップ４２）。この答がＮＯのときには、前記ステップ４１に進み、液圧ポンプ５５の作動を継続する。一方、ステップ４２の答がＹＥＳで、液圧ポンプ５５の作動を開始した後、所定時間ＴＢＲＲＥＦが経過したときには、液圧ポンプ５５を停止させ（ステップ４３）、本処理を終了する。
【００８９】
一方、前記ステップ３５の答がＮＯのとき、すなわち、車両Ｖの制動力の増加が必要であると判定された状態のまま、エンジン３の良好な立上がりによってクランキングが終了し、再始動が完了したときには、再始動フラグの前回値Ｆ＿ＲＥＳＴＡＲＴＺが「１」であるか否かを判別する（ステップ４５）。この答がＮＯで、今回が再始動の終了直後に相当するときには、前記ステップ３９〜４１と同様、液圧ポンプ作動フラグＦ＿ＢＲ１を「１」にセットし（ステップ４６）、ポンプ作動時間ＴＭＢＲ１を０にリセットした（ステップ４７）後、液圧ポンプ５５の作動を開始し（ステップ４８）、本処理を終了する。
【００９０】
また、前記ステップ４５の答がＮＯで、液圧ポンプ５５の作動を開始した後には、前記ステップ４３〜４４と同様、ポンプ作動時間ＴＭＢＲ１が所定時間ＴＢＲＲＥＦ以上であるか否かを判別し（ステップ４９）、その答がＮＯのときには、前記ステップ４８に進んで液圧ポンプ５５の作動を継続する一方、ステップ４９の答がＹＥＳで、液圧ポンプ５５の作動開始後、所定時間ＴＢＲＲＥＦが経過したときには、液圧ポンプ５５を停止させ（ステップ５０）、本処理を終了する。
【００９１】
図９及び図１０は、これまでに説明した処理によって得られる２つの動作例を示している。図９は、エンジン３の良好な立上がりに伴ってクランキングが終了し、再始動が完了した例である。アイドルストップ中にエンジン３の再始動条件が成立すると（時点ｔ１）、再始動フラグＦ＿ＲＥＳＴＡＲＴが「１」にセットされ（図５のステップ６）、それと同時にクランキングが開始される（ステップ８）。
【００９２】
また、クランキング中の時点ｔ２において、車両Ｖの制動力の増加が必要であると判定されると、それに応じて制動力増加要求フラグＦ＿ＢＦＲＥＱが「１」にセットされるものの、この時点では液圧ポンプ５５の作動は禁止される（図８のステップ３６、３７）。その後、エンジン回転数ＮＥがアイドル回転数ＮＥＩＤＬに達すると（時点ｔ３）、その時点でクランキングが終了する（図５のステップ１０、１２、１３）とともに、それと同時に、液圧ポンプ５５の作動禁止が解除され、液圧ポンプ５５の作動が開始される（図８のステップ４８）。そして、液圧ポンプ５５は、その作動開始後、所定時間ＴＢＲＲＥＦが経過した時点ｔ４で停止される（ステップ４９、５０）。
【００９３】
図１０は、エンジン３が良好に立ち上がらないまま、クランキングが終了した例である。図９の例と同様、アイドルストップ中に再始動条件が成立すると（時点ｔ１１）、再始動フラグＦ＿ＲＥＳＴＡＲＴが「１」にセットされ、それと同時にクランキングが開始される。また、クランキング中、車両Ｖの制動力の増加が必要と判定されると（時点ｔ１２）、それに応じて制動力増加要求フラグＦ＿ＢＦＲＥＱが「１」にセットされる（時点ｔ１２）ものの、液圧ポンプ５５の作動は禁止される（図８のステップ３６、３７）。
【００９４】
その後、クランキング時間ＴＭＣＲＫが第１所定時間ＴＲＥＦ１に達した時点ｔ１３で、液圧ポンプ５５の作動禁止が解除され、液圧ポンプ５５の作動が開始される（ステップ３６、４１）。その後、所定時間ＴＢＲＲＥＦが経過した時点ｔ１４で、液圧ポンプ５５が停止される（ステップ４２、４３）。また、この例では、エンジン回転数ＮＥがアイドル回転数ＮＥＩＤＬまで上昇しないまま、クランキング時間ＴＭＣＲＫが第３所定時間ＴＲＥＦ３が達しているため、その時点ｔ１５でクランキングが終了される。
【００９５】
以上のように、本実施形態によれば、アイドルストップ中に再始動条件が成立すると、それと同時にクランキングが開始されるとともに、このクランキング中、車両Ｖの制動力の増加が必要と判定された場合には、液圧ポンプ５５の作動が禁止される。これにより、液圧ポンプ５５の作動に伴うバッテリ電圧ＶＢの低下を防止し、クランキングに必要なバッテリ電圧ＶＢを確保でき、したがって、クランキング及び再始動を安定して良好に行うことができる。
【００９６】
また、図９に示したように、エンジン３の良好な立上がりに伴ってクランキングが終了した場合には、このクランキングの終了時に、液圧ポンプ５５の作動禁止を解除し、液圧ポンプ５５を作動させる。これにより、クランキングによりバッテリ電圧ＶＢが低下した状態での電力不足による液圧ポンプ５５の動作不良や故障を回避しながら、車両Ｖの制動力を適切に増加させることができ、したがって、アイドルストップ中の車両Ｖの移動を確実に防止することができる。
【００９７】
一方、図１０に示したように、エンジン３が良好に立ち上がらないまま、クランキングが終了した場合には、クランキング時間ＴＭＣＲＫが第１所定時間ＴＲＥＦ１に達した時点で、液圧ポンプ５５の作動禁止を解除し、液圧ポンプ５５を作動させる。これにより、車両Ｖの制動力を可能な限り速やかに増加させることができ、アイドルストップ中の車両Ｖの移動を確実に防止することができる。
【００９８】
また、図９及び図１０のいずれの場合にも、液圧ポンプ５５の作動開始後、所定時間ＴＢＲＲＥＦが経過したときに、液圧ポンプ５５を停止させるので、その作動時間が十分に確保されることによって、車両Ｖの制動力を確実に増加させることができる。
【００９９】
なお、実施形態では、上記の所定時間ＴＢＲＲＥＦは固定値であるが、この所定時間ＴＢＲＲＥＦを、算出された路面勾配ＡＳＬＰに応じて設定してもよい。この場合には、所定時間ＴＢＲＲＥＦは、例えば、図７に示す所定圧力ＰＲＥＦの場合と同様、路面勾配ＡＳＬＰが０で路面が平坦なときに最小値に設定され、勾配が大きいほど、より大きな値に設定される。これにより、路面の勾配の影響で車両Ｖが移動しやすいほど、液圧ポンプ５５をより長く作動させることによって、車両Ｖの制動力をさらに適切に増加させることができる。
【０１００】
さらに、車両Ｖの制動力の増加が必要であると判定されている場合のみ、液圧ポンプ５５を作動させるので、従来の装置と異なり、液圧ポンプ５５の作動を、電力を無駄に消費することなく、効率的に行うことができ、ひいては車両Ｖの燃費を向上させることができる。
【０１０１】
また、図６の判定処理により、ホイールシリンダ圧ＰＷＣが所定圧力ＰＲＥＦ以下に低下したとき、又は車速ＶＰが０でないときに、液圧ポンプ５５による車両Ｖの制動力の増加が必要であると判定するので、実際のホイールシリンダ圧ＰＷＣの低下状態及び車両Ｖの移動状態に応じて、液圧ポンプ５５を作動させ、必要な制動力を適切に得ることができる。さらに、上記の所定圧力ＰＲＥＦを路面勾配ＡＳＬＰに応じて設定するので、車両Ｖの移動しやすさに応じて、液圧ポンプ５５を適切に作動させ、必要な制動力を効果的に得ることができる。
【０１０２】
次に、図１１を参照しながら、第１実施形態の変形例による車両Ｖの制動力制御処理について説明する。図１１は、図８に示した第１実施形態による制御処理のうちの、ステップ３６〜４３に対応する部分（以下「クランキング中の制動力制御」という）のみを示しており、図示を省略した他の部分の処理内容は、図８と同じである。
【０１０３】
図８との比較から明らかなように、この変形例は、図８のステップ３６に対応するステップ３６Ａの内容のみを変更し、クランキング中における液圧ポンプ５５の作動の開始タイミングを決定する基準として、第１実施形態のクランキング時間ＴＭＣＲＫに代えて、バッテリ電圧ＶＢを用いたものである。
【０１０４】
具体的には、ステップ３５の答がＹＥＳで、クランキング中のときには、ステップ３６Ａにおいて、検出されたバッテリ電圧ＶＢが所定電圧ＶＲＥＦ以上であるか否かを判別する。この答がＮＯで、バッテリ電圧ＶＢが所定電圧ＶＲＥＦ未満のときには、液圧ポンプ５５の作動を禁止し（ステップ３７）、バッテリ電圧ＶＢが所定電圧ＶＲＥＦ以上になったときには、ステップ３８〜４３を実行し、第１実施形態とまったく同様にして、液圧ポンプ５５を作動・停止させる。
【０１０５】
したがって、この変形例によれば、図１２に示すように、アイドルストップ中に再始動条件が成立すると（ｔ２１）、それと同時にクランキングが開始されるとともに、このクランキング中、車両Ｖの制動力の増加が必要と判定された場合（Ｆ＿ＢＦＲＥＱ＝１）には（時点ｔ２２）、液圧ポンプ５５の作動は、バッテリ電圧ＶＢが所定電圧ＶＲＥＦになるまで禁止される。これにより、液圧ポンプ５５の作動によるバッテリ電圧ＶＢの低下を防止しながら、クランキング及び再始動を安定して行うことができる。
【０１０６】
その後、バッテリ電圧ＶＢが所定電圧ＶＲＥＦまで上昇したときに（時点ｔ２３）、液圧ポンプ５５の作動が開始されるので、バッテリ電圧ＶＢが実際に十分に回復した状態で、液圧ポンプ５５の作動を良好に行うことができる。その後、所定時間ＴＢＲＲＥＦが経過した時点ｔ２４で、液圧ポンプ５５が停止される。
【０１０７】
なお、上述した第１実施形態及びその変形例では、車両Ｖの制動力を増加させる制動力増加装置として、液圧ポンプ５５を用いているが、これに代えて、電動ブレーキ２０を用いてもよい。この場合、電動ブレーキ２０の作動及び停止を、前述した液圧ポンプ５５の場合と同様に制御することによって、前述した効果を同様に得ることができる。
【０１０８】
次に、図１３を参照しながら、第２実施形態による車両Ｖの制動力制御処理について説明する。図１３もまた、図８に示した第１実施形態による制御処理のうちの、クランキング中の制動力制御の部分のみを示しており、図示を省略した他の部分の処理内容は、図８と同じである。本実施形態は、このクランキング中の制動力制御において、制動力増加装置として、液圧ポンプ５５とともに電動ブレーキ２０を用いる点が、第１実施形態と異なる。
【０１０９】
本処理では、ステップ３５の答がＹＥＳで、クランキング中のときには、クランキング時間ＴＭＣＲＫが第１所定時間ＴＲＥＦ１以上であるか否かを判別する（ステップ６１）。この答がＮＯのときには、液圧ポンプ５５及び電動ブレーキ２０の作動を禁止し（ステップ６２）、本処理を終了する。
【０１１０】
上記ステップ６１の答がＹＥＳで、クランキング時間ＴＭＣＲＫが第１所定時間ＴＲＥＦ１に達したときには、クランキング時間ＴＭＣＲＫが、第１所定時間ＴＲＥＦ１と第３所定時間ＴＲＥＦ３の間の第２所定時間ＴＲＥＦ２以上であるか否かを判別する（ステップ６３）。この答がＮＯで、ＴＲＥＦ１≦ＴＭＣＲＫ＜ＴＲＥＦ２のときには、液圧ポンプ作動フラグＦ＿ＢＲ１が「１」であるか否かを判別する（ステップ６４）。
【０１１１】
このステップ６４の答がＮＯで、液圧ポンプ５５がまだ作動していないときには、液圧ポンプ作動フラグＦ＿ＢＲ１を「１」にセットし（ステップ６５）、ポンプ作動時間ＴＭＢＲ１を０にリセットした（ステップ６６）後、液圧モータ５６を駆動することで、液圧ポンプ５５の作動を開始し（ステップ６７）、本処理を終了する。この液圧ポンプ５５の作動により、ホイールシリンダ１６内のブレーキ液圧が上昇し、車両Ｖの制動力が増加される。
【０１１２】
前記ステップ６４の答がＹＥＳで、液圧ポンプ５５がすでに作動しているときには、ポンプ作動時間ＴＭＢＲ１が所定時間ＴＢＲＲＥＦ１以上であるか否かを判別する（ステップ６８）。この答がＮＯのときには、前記ステップ６７に進み、液圧ポンプ５５の作動を継続する。一方、ステップ６８の答がＹＥＳで、液圧ポンプ５５の作動を開始した後、所定時間ＴＢＲＲＥＦ１が経過したときには、液圧ポンプ５５を停止させ（ステップ６９）、本処理を終了する。
【０１１３】
前記ステップ６３の答がＹＥＳで、クランキング時間ＴＭＣＲＫが第２所定時間ＴＲＥＦ２に達したときには、電動ブレーキ作動フラグＦ＿ＢＲ２が「１」であるか否かを判別する（ステップ７１）。この答がＮＯで、電動ブレーキ２０がまだ作動していないときには、電動ブレーキ作動フラグＦ＿ＢＲ２を「１」にセットし（ステップ７２）、タイマで計時されるブレーキ作動時間ＴＭＢＲ２を０にリセットした（ステップ７３）後、ブレーキモータ２５を駆動することで、電動ブレーキ２０の作動を開始し（ステップ７４）、本処理を終了する。この電動ブレーキ２０の作動により、車両Ｖの制動力がさらに増加される。
【０１１４】
前記ステップ７１の答がＹＥＳで、電動ブレーキ２０がすでに作動しているときには、ブレーキ作動時間ＴＭＢＲ２が所定時間ＴＢＲＲＥＦ２以上であるか否かを判別する（ステップ７５）。この答がＮＯのときには、前記ステップ７４に進み、電動ブレーキ２０の作動を継続する。一方、ステップ７５の答がＹＥＳで、電動ブレーキ２０の作動を開始した後、所定時間ＴＢＲＲＥＦ２が経過したときに、電動ブレーキ２０を停止させ（ステップ７６）、本処理を終了する。
【０１１５】
図１４は、上述した第２実施形態による制御処理によって得られる動作例を、図１０と同様、エンジン３が良好に立ち上がらないまま、クランキングが終了した場合について示している。アイドルストップ中に再始動条件が成立すると（時点ｔ３１）、それと同時にクランキングが開始され、このクランキング中、車両Ｖの制動力の増加が必要と判定された場合には（時点ｔ３２）、液圧ポンプ５５及び電動ブレーキ２０の作動が禁止され（ステップ６２）、その後、クランキング時間ＴＭＣＲＫが第１所定時間ＴＲＥＦ１に達した時点ｔ３３で、液圧ポンプ５５の作動が開始される（ステップ６７）。
【０１１６】
その後、所定時間ＴＢＲＲＥＦ１が経過した時点ｔ３４で、液圧ポンプ５５が停止される（ステップ６９）。さらに、クランキング時間ＴＭＣＲＫが第２所定時間ＴＲＥＦ２に達した時点ｔ３５で、電動ブレーキ２０の作動が開始され（ステップ７４）、その後、所定時間ＴＢＲＲＥＦ２が経過した時点ｔ３６で、電動ブレーキ２０が停止される（ステップ７６）。
【０１１７】
以上のように、本実施形態によれば、アイドルストップ中に再始動条件が成立すると、それと同時にクランキングが開始されるとともに、このクランキング中、車両Ｖの制動力の増加が必要と判定された場合には、液圧ポンプ５５及び電動ブレーキ２０の作動が禁止される。したがって、第１実施形態と同様、液圧ポンプ５５及び電動ブレーキ２０の作動に伴うバッテリ電圧ＶＢの低下を防止し、クランキングに必要なバッテリ電圧ＶＢを確保することによって、クランキング及び再始動を安定して良好に行うことができる。
【０１１８】
また、クランキングの開始後、第１所定時間ＴＢＲＲＥＦ１が経過したときに、まず液圧ポンプ５５を作動させ、その後、クランキングの開始時から第２所定時間ＴＢＲＲＥＦ２が経過したときに、電動ブレーキ２０を作動させる。このように液圧ポンプ５５及び電動ブレーキ２０を順次、作動させ、車両Ｖの制動力を段階的に増加させるので、車両Ｖを効率的かつ強固に制動でき、アイドルストップ中の車両Ｖの移動を確実に防止することができる。また、モータへの電力の供給から制動力の発生までの応答性がより高い液圧ポンプ５５を先に作動させるので、車両Ｖの制動力がより迅速に増加することによって、アイドルストップ中の車両の移動をより確実に防止することができる。
【０１１９】
次に、図１５を参照しながら、第２実施形態の変形例による車両Ｖの制動力制御処理について説明する。図１３との比較から明らかなように、この変形例は、図１３のステップ６１に対応するステップ６１Ａの内容のみを変更し、クランキング中における液圧ポンプ５５の作動の開始タイミングを決定する基準として、クランキング時間ＴＭＣＲＫに代えて、バッテリ電圧ＶＢを用いたものであり、他の部分の処理内容は、図１３とまったく同じである。
【０１２０】
具体的には、ステップ３５の答がＹＥＳで、クランキング中のときには、ステップ６１Ａにおいて、バッテリ電圧ＶＢが所定電圧ＶＲＥＦ以上であるか否かを判別する。この答がＮＯで、バッテリ電圧ＶＢが所定電圧ＶＲＥＦ未満のときには、液圧ポンプ５５及び電動ブレーキ２０の作動を禁止する（ステップ６２）。一方、バッテリ電圧ＶＢが所定電圧ＶＲＥＦ以上になったときには、ステップ６３以降に進み、第２実施形態とまったく同様にして、液圧ポンプ５５及び電動ブレーキ２０を作動・停止させる。
【０１２１】
したがって、この変形例によれば、図１６に示すように、アイドルストップ中に再始動条件が成立すると（時点ｔ４１）、それと同時にクランキングが開始される。また、このクランキング中、車両Ｖの制動力の増加が必要と判定された場合（Ｆ＿ＢＦＲＥＱ＝１）には（時点ｔ４２）、バッテリ電圧ＶＢが所定電圧ＶＲＥＦになるまで、液圧ポンプ５５及び電動ブレーキ２０の作動が禁止される。その後、バッテリ電圧ＶＢが所定電圧ＶＲＥＦまで上昇したときに（時点ｔ４３）、液圧ポンプ５５の作動が開始される。これにより、バッテリ電圧ＶＢが実際に十分に回復した状態で、液圧ポンプ５５の作動を良好に行うことができる。
【０１２２】
なお、上述した第２実施形態及びその変形例では、車両Ｖの制動力を増加させる際に、液圧ポンプ５５及び電動ブレーキ２０の順に作動させているが、この順序を逆にしてもよく、それによっても、前述した効果を同様に得ることができる。
【０１２３】
なお、本発明は、前述した以外にも、説明した実施形態に限定されることなく、種々の態様で実施することができる。例えば、実施形態では、液圧ポンプ５５の作動開始後、所定時間ＴＢＲＲＥＦ又はＴＢＲＲＥＦ１が経過したときに、液圧ポンプ５５を停止させているが、これに代えて、検出されたホイールシリンダ圧ＰＷＣが所定圧力ＰＲＥＦを上回ったときに、液圧ポンプ５５を停止させるようにしてもよい。それにより、ホイールシリンダ圧ＰＷＣが実際に十分に回復した状態で、液圧ポンプ５５を停止させることができ、したがって、車両Ｖの制動力を確実に増加させるとともに、液圧ポンプ５５の作動を効率的に行うことができる。
【０１２４】
また、実施形態では、車両Ｖの各車輪Ｗにディスクブレーキ１４が設けられているが、後輪ＷＲＬ、ＷＲＲについては、ディスクブレーキに代えて、ドラムブレーキを用いてもよく、その場合には、電動ブレーキについても、ドラムブレーキ用のものを用いることができる。
【０１２５】
また、実施形態は、本発明をガソリンエンジンを搭載した車両に適用した例であるが、本発明は、これに限らず、ガソリンエンジン以外のディーゼルエンジンなどの各種のエンジンを搭載した車両にも適用可能である。その他、本発明の趣旨の範囲内で、細部の構成を適宜、変更することが可能である。
【産業上の利用可能性】
【０１２６】
本発明は、車両の停止制御装置において、アイドルストップ中、内燃機関の再始動のためのクランキングを安定して行うとともに、車両の制動力を適切に増加させ、車両の移動を確実に防止する上で、極めて有用である。
【符号の説明】
【０１２７】
２  ＥＣＵ（制動力増加要否判定手段、制御手段、
クランキング時間取得手段、所定時間設定手段、
所定圧力設定手段）
３  内燃機関
５  制動装置
６  スタータモータ（クランキング手段）
７  バッテリ（電源）
１６  ホイールシリンダ
２０  電動ブレーキ（制動力増加装置、第２制動力増加装置）
５５  液圧ポンプ（制動力増加装置、第１制動力増加装置）
６２  ホイールシリンダ圧センサ（ホイールシリンダ圧検出手段）
６４  車輪速センサ（車速検出手段）
６７  加速度センサ（路面勾配検出手段）
６８  電圧センサ（電圧取得手段）
Ｖ  車両
ＴＭＣＲＫ  クランキング時間
ＴＲＥＦ１  第１所定時間
ＴＲＥＦ２  第２所定時間
ＴＢＲＲＥＦ  所定時間
ＶＢ  バッテリ電圧（電源の電圧）
ＶＲＥＦ  所定電圧
ＰＷＣ  ホイールシリンダ圧（ホイールシリンダ内のブレーキ液圧）
ＰＲＥＦ  所定圧力
ＡＳＬＰ  路面勾配（車両が停車している路面の勾配）
ＶＰ  車速（車両の速度）
【図１】
2014076753.tif 000003
【図２】
2014076753.tif 000004
【図３】
2014076753.tif 000005
【図４】
2014076753.tif 000006
【図５】
2014076753.tif 000007
【図６】
2014076753.tif 000008
【図７】
2014076753.tif 000009
【図８】
2014076753.tif 000010
【図９】
2014076753.tif 000011
【図１０】
2014076753.tif 000012
【図１１】
2014076753.tif 000013
【図１２】
2014076753.tif 000014
【図１３】
2014076753.tif 000015
【図１４】
2014076753.tif 000016
【図１５】
2014076753.tif 000017
【図１６】
2014076753.tif 000018
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記クランキング手段によるクランキング時間を取得するクランキング時間取得手段と、を備え、
前記制御手段は、前記車両の制動力の増加が必要であると判定された場合において、前記取得されたクランキング時間が第１所定時間に達するまで、前記制動力増加装置の作動を禁止し、前記クランキング時間が前記第１所定時間に達したときに、当該クランキングを継続しながら前記制動力増加装置を作動させることを特徴とする車両の停止制御装置。
【請求項２】
前記制御手段は、前記クランキングが終了するまで、前記制動力増加装置の作動を禁止し、前記クランキングが終了したときに、前記制動力増加装置を作動させることを特徴とする、請求項１に記載の車両の停止制御装置。
【請求項３】
（削除）
【請求項４】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記電源の電圧を取得する電圧取得手段とを、備え、
前記制御手段は、前記車両の制動力の増加が必要であると判定された場合において、前記クランキング中に取得された電源の電圧が所定電圧以上になるまで、前記制動力増加装置の作動を禁止し、前記電源の電圧が所定電圧以上になったときに、前記制動力増加装置を作動させることを特徴とする車両の停止制御装置。
【請求項５】
前記制御手段は、前記制動力増加装置の作動を開始した後、所定時間が経過したときに、当該制動力増加装置を停止させることを特徴とする、請求項１又は２に記載の車両の停止制御装置。
【請求項６】
前記車両が停車している路面の勾配を検出する路面勾配検出手段と、
当該検出された路面の勾配に応じて前記所定時間を設定する所定時間設定手段と、をさらに備えることを特徴とする、請求項５に記載の車両の停止制御装置。
【請求項７】
前記制動力増加装置は、第１制動力増加装置及び第２制動力増加装置を有し、
前記制御手段は、前記クランキング時間が前記第１所定時間に達したときに、前記第１制動力増加装置を作動させ、その後、前記クランキング時間が前記第１所定時間よりも大きな第２所定時間に達したときに、前記第２制動力増加装置を作動させることを特徴とする、請求項１に記載の車両の停止制御装置。
【請求項８】
前記クランキング手段によるクランキング時間を取得するクランキング時間取得手段をさらに備え、
前記制動力増加装置は、第１制動力増加装置及び第２制動力増加装置を有し、
前記制御手段は、前記電源の電圧が前記所定電圧以上になったときに、前記第１制動力増加装置を作動させ、その後、前記取得されたクランキング時間が所定時間に達したときに、前記第２制動力増加装置を作動させることを特徴とする、請求項４に記載の車両の停止制御装置。
【請求項９】
前記第１制動力増加装置は、前記第２制動力増加装置よりも、電力が供給されてから制動力を発生させるまでの応答時間が短いという特性を有することを特徴とする、請求項７又は８に記載の車両の停止制御装置。
【請求項１０】
前記制動装置は、ホイールシリンダに供給されるブレーキ液圧によって前記車両を制動するように構成されており、
前記ホイールシリンダ内のブレーキ液圧を検出するホイールシリンダ圧検出手段をさらに備え、
前記制動力増加要否判定手段は、前記検出されたホイールシリンダ内のブレーキ液圧が所定圧力以下に低下したときに、前記制動力増加装置による制動力の増加が必要であると判定することを特徴とする、請求項１、２、４〜９のいずれかに記載の車両の停止制御装置。
【請求項１１】
前記制御手段は、前記制動力増加装置を作動させた後、前記ホイールシリンダのブレーキ液圧が前記所定圧力を上回ったときに、前記制動力増加装置を停止させることを特徴とする、請求項１０に記載の車両の停止制御装置。
【請求項１２】
前記車両が停車している路面の勾配を検出する路面勾配検出手段と、
当該検出された路面の勾配に応じて前記所定圧力を設定する所定圧力設定手段と、をさらに備えることを特徴とする、請求項１０又は１１に記載の車両の停止制御装置。
【請求項１３】
前記車両の速度を検出する車速検出手段をさらに備え、
前記制動力増加要否判定手段は、前記検出された車両の速度が０でないときに、前記制動力増加装置による制動力の増加が必要であると判定することを特徴とする、請求項１、２、４〜９のいずれかに記載の車両の停止制御装置。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記クランキング手段によるクランキング時間を取得するクランキング時間取得手段と、を備え、
前記制御手段は、前記車両の制動力の増加が必要であると判定された場合において、前記取得されたクランキング時間が第１所定時間に達するまで、前記制動力増加装置の作動を禁止し、前記クランキング時間が前記第１所定時間に達したときに、当該クランキングを継続しながら前記制動力増加装置を作動させることを特徴とする車両の停止制御装置。
【請求項２】
前記制御手段は、前記クランキングが終了するまで、前記制動力増加装置の作動を禁止し、前記クランキングが終了したときに、前記制動力増加装置を作動させることを特徴とする、請求項１に記載の車両の停止制御装置。
【請求項３】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記電源の電圧を取得する電圧取得手段とを、備え、
前記制御手段は、前記車両の制動力の増加が必要であると判定された場合において、前記クランキング中に取得された電源の電圧が所定電圧以上になるまで、前記制動力増加装置の作動を禁止し、前記電源の電圧が所定電圧以上になったときに、前記制動力増加装置を作動させることを特徴とする車両の停止制御装置。
【請求項４】
前記制御手段は、前記制動力増加装置の作動を開始した後、所定時間が経過したときに、当該制動力増加装置を停止させることを特徴とする、請求項１又は２に記載の車両の停止制御装置。
【請求項５】
前記車両が停車している路面の勾配を検出する路面勾配検出手段と、
当該検出された路面の勾配に応じて前記所定時間を設定する所定時間設定手段と、をさらに備えることを特徴とする、請求項４に記載の車両の停止制御装置。
【請求項６】
前記制動力増加装置は、第１制動力増加装置及び第２制動力増加装置を有し、
前記制御手段は、前記クランキング時間が前記第１所定時間に達したときに、前記第１制動力増加装置を作動させ、その後、前記クランキング時間が前記第１所定時間よりも大きな第２所定時間に達したときに、前記第２制動力増加装置を作動させることを特徴とする、請求項１に記載の車両の停止制御装置。
【請求項７】
前記クランキング手段によるクランキング時間を取得するクランキング時間取得手段をさらに備え、
前記制動力増加装置は、第１制動力増加装置及び第２制動力増加装置を有し、
前記制御手段は、前記電源の電圧が前記所定電圧以上になったときに、前記第１制動力増加装置を作動させ、その後、前記取得されたクランキング時間が所定時間に達したときに、前記第２制動力増加装置を作動させることを特徴とする、請求項３に記載の車両の停止制御装置。
【請求項８】
前記第１制動力増加装置は、前記第２制動力増加装置よりも、電力が供給されてから制動力を発生させるまでの応答時間が短いという特性を有することを特徴とする、請求項６又は７に記載の車両の停止制御装置。
【請求項９】
前記制動装置は、ホイールシリンダに供給されるブレーキ液圧によって前記車両を制動するように構成されており、
前記ホイールシリンダ内のブレーキ液圧を検出するホイールシリンダ圧検出手段をさらに備え、
前記制動力増加要否判定手段は、前記検出されたホイールシリンダ内のブレーキ液圧が所定圧力以下に低下したときに、前記制動力増加装置による制動力の増加が必要であると判定することを特徴とする、請求項１ないし８のいずれかに記載の車両の停止制御装置。
【請求項１０】
前記制御手段は、前記制動力増加装置を作動させた後、前記ホイールシリンダのブレーキ液圧が前記所定圧力を上回ったときに、前記制動力増加装置を停止させることを特徴とする、請求項９に記載の車両の停止制御装置。
【請求項１１】
前記車両が停車している路面の勾配を検出する路面勾配検出手段と、
当該検出された路面の勾配に応じて前記所定圧力を設定する所定圧力設定手段と、をさらに備えることを特徴とする、請求項９又は１０に記載の車両の停止制御装置。
【請求項１２】
前記車両の速度を検出する車速検出手段をさらに備え、
前記制動力増加要否判定手段は、前記検出された車両の速度が０でないときに、前記制動力増加装置による制動力の増加が必要であると判定することを特徴とする、請求項１ないし８のいずれかに記載の車両の停止制御装置。
【手続補正２】
【補正対象書類名】明細書
【補正対象項目名】０００８
【補正方法】変更
【補正の内容】
【０００８】
この目的を達成するために、本願の請求項１に係る発明は、制動装置５を有する車両Ｖに搭載された内燃機関３を、所定の停止条件が成立したときに停止させ、所定の再始動条件が成立したときに再始動させるとともに、車両Ｖの停車中、制動装置５による制動力を補うために車両Ｖの制動力を増加させるように制御する車両の停止制御装置であって、再始動条件が成立したときに、所定の電源（実施形態における（以下、本項において同じ）バッテリ７）から供給される電力を用いて内燃機関３をクランキングするクランキング手段（スタータモータ６）と、電源から供給される電力によって駆動され、車両Ｖの制動力を増加させるための制動力増加装置（液圧ポンプ５５、電動ブレーキ２０）と、車両Ｖの停車中、制動力増加装置による車両Ｖの制動力の増加が必要であるか否かを判定する制動力増加要否判定手段（ＥＣＵ２、図６）と、制動力増加要否判定手段による判定結果に応じて、制動力増加装置を制御する制御手段（ＥＣＵ２）と、クランキング手段によるクランキング時間ＴＭＣＲＫを取得するクランキング時間取得手段（ＥＣＵ２）と、を備え、制御手段は、車両Ｖの制動力の増加が必要であると判定された場合において、取得されたクランキング時間ＴＭＣＲＫが第１所定時間ＴＲＥＦ１に達するまで、制動力増加装置の作動を禁止し、クランキング時間ＴＭＣＲＫが第１所定時間ＴＲＥＦ１に達したときに、制動力増加装置を作動させること（図８のステップ３６、３７、４１）を特徴とする。
【手続補正３】
【補正対象書類名】明細書
【補正対象項目名】００１０
【補正方法】変更
【補正の内容】
【００１０】
また、本発明の停止制御装置によれば、クランキング手段と共通の電源から供給される電力によって駆動される制動力増加装置を備えるとともに、車両の停車中、制動力増加装置による車両の制動力の増加が必要であるか否かが判定され、その判定結果に応じて、制動力増加装置が制御される。また、車両の制動力の増加が必要であると判定された場合において、取得されたクランキング時間が第１所定時間に達するまで、制動力増加装置の作動が禁止され、クランキング時間が第１所定時間に達したときに、クランキングを継続しながら制動力増加装置を作動させる。
【手続補正４】
【補正対象書類名】明細書
【補正対象項目名】００１１
【補正方法】変更
【補正の内容】
【００１１】
以上のように、クランキングの開始後、第１所定時間が経過するまで、制動力増加装置の作動が禁止されるので、その作動による電源の電圧の低下を防止しながら、クランキング及び再始動を安定して行うことができる。また、クランキング時間が第１所定時間に達したときに制動力増加装置を作動させるので、車両の制動力を可能な限り速やかに増加させることができ、アイドルストップ中の車両の移動を確実に防止することができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
また、前記目的を達成するために、請求項３に係る発明は、制動装置５を有する車両Ｖに搭載された内燃機関３を、所定の停止条件が成立したときに停止させ、所定の再始動条件が成立したときに再始動させるとともに、車両Ｖの停車中、制動装置５による制動力を補うために車両Ｖの制動力を増加させるように制御する車両の停止制御装置であって、再始動条件が成立したときに、所定の電源（実施形態における（以下、本項において同じ）バッテリ７）から供給される電力を用いて内燃機関３をクランキングするクランキング手段（スタータモータ６）と、電源から供給される電力によって駆動され、車両Ｖの制動力を増加させるための制動力増加装置（液圧ポンプ５５、電動ブレーキ２０）と、車両Ｖの停車中、制動力増加装置による車両Ｖの制動力の増加が必要であるか否かを判定する制動力増加要否判定手段（ＥＣＵ２、図６）と、制動力増加要否判定手段による判定結果に応じて、制動力増加装置を制御する制御手段（ＥＣＵ２）と、電源の電圧（バッテリ電圧ＶＢ）を取得する電圧取得手段（電圧センサ６８）と、を備え、制御手段は、車両Ｖの制動力の増加が必要であると判定された場合において、クランキング中に取得された電源の電圧が所定電圧ＶＲＥＦ以上になるまで、制動力増加装置の作動を禁止し、電源の電圧が所定電圧ＶＲＥＦ以上になったときに、制動力増加装置を作動させること（図１１のステップ３６Ａ、３７、４１）を特徴とする。
【手続補正８】
【補正対象書類名】明細書
【補正対象項目名】００１８
【補正方法】変更
【補正の内容】
【００１８】
請求項４に係る発明は、請求項１又は２に記載の車両の停止制御装置において、制御手段は、制動力増加装置の作動を開始した後、所定時間ＴＢＲＲＥＦが経過したときに、制動力増加装置を停止させること（図８のステップ４２、４３、４９、５０）を特徴とする。
【手続補正９】
【補正対象書類名】明細書
【補正対象項目名】００２０
【補正方法】変更
【補正の内容】
【００２０】
請求項５に係る発明は、請求項４に記載の車両の停止制御装置において、車両Ｖが停車している路面の勾配ＡＳＬＰを検出する路面勾配検出手段（加速度センサ６７）と、検出された路面の勾配ＡＳＬＰに応じて所定時間ＴＢＲＲＥＦを設定する所定時間設定手段（ＥＣＵ２）と、をさらに備えることを特徴とする。
【手続補正１０】
【補正対象書類名】明細書
【補正対象項目名】００２２
【補正方法】変更
【補正の内容】
【００２２】
請求項６に係る発明は、請求項１に記載の車両の停止制御装置において、制動力増加装置は、第１制動力増加装置（液圧ポンプ５５）及び第２制動力増加装置（電動ブレーキ２０）を有し、制御手段は、クランキング時間ＴＭＣＲＫが第１所定時間ＴＲＥＦ１に達したときに、第１制動力増加装置を作動させ、その後、クランキング時間ＴＭＣＲＫが第１所定時間ＴＲＥＦ１よりも大きな第２所定時間ＴＲＥＦ２に達したときに、第２制動力増加装置を作動させること（図１３のステップ６１、６３、６７、７４）を特徴とする。
【手続補正１１】
【補正対象書類名】明細書
【補正対象項目名】００２４
【補正方法】変更
【補正の内容】
【００２４】
請求項７に係る発明は、請求項３に記載の車両の停止制御装置において、クランキング手段によるクランキング時間ＴＭＣＲＫを取得するクランキング時間取得手段（ＥＣＵ２）をさらに備え、制動力増加装置は、第１制動力増加装置（液圧ポンプ５５）及び第２制動力増加装置（電動ブレーキ２０）を有し、制御手段は、電源の電圧が所定電圧ＶＲＥＦ以上になったときに、第１制動力増加装置を作動させ、その後、取得されたクランキング時間ＴＭＣＲＫが所定時間（第２所定時間ＴＲＥＦ２）に達したときに、第２制動力増加装置を作１２させること（図１５のステップ６１Ａ、６３、６７、７４）を特徴とする。
【手続補正１２】
【補正対象書類名】明細書
【補正対象項目名】００２６
【補正方法】変更
【補正の内容】
【００２６】
請求項８に係る発明は、請求項６又は７に記載の車両の停止制御装置において、第１制動力増加装置は、第２制動力増加装置よりも、電力が供給されてから制動力を発生させるまでの応答時間が短いという特性を有することを特徴とする。
【手続補正１３】
【補正対象書類名】明細書
【補正対象項目名】００２８
【補正方法】変更
【補正の内容】
【００２８】
請求項９に係る発明は、請求項１ないし８のいずれかに記載の車両の停止制御装置において、制動装置５は、ホイールシリンダ１６に供給されるブレーキ液圧によって車両Ｖを制動するように構成されており、ホイールシリンダ１６内のブレーキ液圧（ホイールシリンダ圧ＰＷＣ）を検出するホイールシリンダ圧検出手段（ホイールシリンダ圧センサ６２）をさらに備え、制動力増加要否判定手段は、検出されたホイールシリンダ１６内のブレーキ液圧が所定圧力ＰＲＥＦ以下に低下したときに、制動力増加装置による制動力の増加が必要であると判定すること（図６のステップ２４、２５）を特徴とする。
【手続補正１４】
【補正対象書類名】明細書
【補正対象項目名】００３０
【補正方法】変更
【補正の内容】
【００３０】
請求項１０に係る発明は、請求項９に記載の車両の停止制御装置において、制御手段は、制動力増加装置を作動させた後、ホイールシリンダのブレーキ液圧が所定圧力ＰＲＥＦを上回ったときに、制動力増加装置を停止させることを特徴とする。
【手続補正１５】
【補正対象書類名】明細書
【補正対象項目名】００３２
【補正方法】変更
【補正の内容】
【００３２】
請求項１１に係る発明は、請求項９又は１０に記載の車両の停止制御装置において、車両Ｖが停車している路面の勾配ＡＳＬＰを検出する路面勾配検出手段（加速度センサ６７）と、検出された路面の勾配ＡＳＬＰに応じて所定圧力ＰＲＥＦを設定する所定圧力設定手段（ＥＣＵ２、図６のステップ２３、図７）と、をさらに備えることを特徴とする。
【手続補正１６】
【補正対象書類名】明細書
【補正対象項目名】００３４
【補正方法】変更
【補正の内容】
【００３４】
請求項１２に係る発明は、請求項１ないし８のいずれかに記載の車両の停止制御装置において、車両Ｖの速度（車速ＶＰ）を検出する車速検出手段（車輪速センサ６４）をさらに備え、制動力増加要否判定手段は、検出された車両の速度が０でないときに、制動力増加装置による制動力の増加が必要であると判定すること（図６のステップ２６、２５）を特徴とする。
【手続補正１７】
【補正対象書類名】明細書
【補正対象項目名】００３９
【補正方法】変更
【補正の内容】
【００３９】
自動変速機４は、エンジン３のクランクシャフトに連結されたトルクコンバータと、「１、２、３、Ｄ４、Ｄ５、Ｎ、Ｒ、Ｐ」からなる８つのシフトポジションを選択可能なシフトレバーと、１〜５速及びリバースから成る６種類の変速段に切換可能なギヤ機構（いずれも図示せず）などを備えている。自動変速機４のトルクコンバータの出力軸（図示せず）は、終減速機構１０及び左右のドライブシャフト９、９を介して、左右の前輪ＷＦＬ、ＷＦＲに連結されており、それにより、エンジン３の動力が前輪ＷＦＬ、ＷＦＲに伝達される。
【手続補正１８】
【補正対象書類名】明細書
【補正対象項目名】００４４
【補正方法】変更
【補正の内容】
【００４４】
ブレーキペダル１１が操作されると、２つのピストンが移動し、各液圧室内のブレーキ液を加圧することによって、ブレーキブースタ３２でアシストされたブレーキペダル１１の操作力に応じたブレーキ液圧が発生し、各液圧室に連通する第１出力ポート３３ａ及び第２出力ポート３３ｂからそれぞれ出力される。
【手続補正１９】
【補正対象書類名】明細書
【補正対象項目名】００５３
【補正方法】変更
【補正の内容】
【００５３】
次に、上述した構成の制動装置５の基本動作を説明する。車両Ｖ及びエンジン３の通常の運転状態では、制動装置５は、図３に示す通常モードに制御される。すなわち、制動装置５のすべての第１制御弁４２、第２制御弁４３、流入弁５０及び流出弁５３が、非励磁状態に制御されるとともに、液圧モータ５６及び液圧ポンプ５５が停止される。
【手続補正２０】
【補正対象書類名】明細書
【補正対象項目名】００５４
【補正方法】変更
【補正の内容】
【００５４】
この通常モードにおいて、ブレーキペダル１１が踏み込まれると、その操作力とブレーキブースタ３２によるアシスト力との和に応じて加圧されたブレーキ液圧（マスターシリンダ圧ＰＭＣ）が、マスターシリンダ１２において発生する。このブレーキ液圧は、第１及び第２出力ポート３３ａ、３３ｂから第１及び第２液圧回路１３Ａ、１３Ｂの各第１液路４１に出力され、さらに第１制御弁４２、流入弁５０及び第４液路４９を介して、各車輪Ｗのホイールシリンダ１６に供給される。これにより、各車輪Ｗにおいてディスクブレーキ１４が作動し、車両Ｖはホイールシリンダ圧ＰＷＣに応じた制動力で制動される。
【手続補正２１】
【補正対象書類名】明細書
【補正対象項目名】００８９
【補正方法】変更
【補正の内容】
【００８９】
一方、前記ステップ３５の答がＮＯのとき、すなわち、車両Ｖの制動力の増加が必要であると判定された状態のまま、エンジン３の良好な立上がりによってクランキングが終了し、再始動が完了したときには、再始動フラグの前回値Ｆ＿ＲＥＳＴＡＲＴが「１」であるか否かを判別する（ステップ４５）。この答がＹＥＳで、今回が再始動の終了直後に相当するときには、前記ステップ３９〜４１と同様、液圧ポンプ作動フラグＦ＿ＢＲ１を「１」にセットし（ステップ４６）、ポンプ作動時間ＴＭＢＲ１を０にリセットした（ステップ４７）後、液圧ポンプ５５の作動を開始し（ステップ４８）、本処理を終了する。
【手続補正２２】
【補正対象書類名】明細書
【補正対象項目名】００９０
【補正方法】変更
【補正の内容】
【００９０】
また、前記ステップ４５の答がＮＯで、液圧ポンプ５５の作動を開始した後には、前記ステップ４２と同様、ポンプ作動時間ＴＭＢＲ１が所定時間ＴＢＲＲＥＦ以上であるか否かを判別し（ステップ４９）、その答がＮＯのときには、前記ステップ４８に進んで液圧ポンプ５５の作動を継続する一方、ステップ４９の答がＹＥＳで、液圧ポンプ５５の作動開始後、所定時間ＴＢＲＲＥＦが経過したときには、液圧ポンプ５５を停止させ（ステップ５０）、本処理を終了する。
【手続補正２３】
【補正対象書類名】図面
【補正対象項目名】図１
【補正方法】変更
【補正の内容】
【図１】
2014076753.tif 000019
【手続補正２４】
【補正対象書類名】図面
【補正対象項目名】図３
【補正方法】変更
【補正の内容】
【図３】
2014076753.tif 000020
【手続補正２５】
【補正対象書類名】図面
【補正対象項目名】図４
【補正方法】変更
【補正の内容】
【図４】
2014076753.tif 000021
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記クランキング手段によるクランキング時間を取得するクランキング時間取得手段と、を備え、
前記制動力増加装置は、第１制動力増加装置及び第２制動力増加装置を有し、
前記制御手段は、前記車両の制動力の増加が必要であると判定された場合において、前記取得されたクランキング時間が第１所定時間に達するまで、前記第１及び第２制動力増加装置の作動を禁止し、前記クランキング時間が前記第１所定時間に達したときに、当該クランキングを継続しながら前記第１制動力増加装置を作動させ、その後、前記クランキング時間が前記第１所定時間よりも大きな第２所定時間に達したときに、前記クランキングを継続しながら前記第２制動力増加装置を作動させることを特徴とする車両の停止制御装置。
【請求項２】
制動装置を有する車両に搭載された内燃機関を、所定の停止条件が成立したときに停止させ、所定の再始動条件が成立したときに再始動させるとともに、前記車両の停車中、前記制動装置の制動力を補うために前記車両の制動力を増加させるように制御する車両の停止制御装置であって、
前記再始動条件が成立したときに、所定の電源から供給される電力を用いて前記内燃機関をクランキングするクランキング手段と、
前記電源から供給される電力によって駆動され、前記車両の制動力を増加させるための制動力増加装置と、
前記車両の停車中、前記制動力増加装置による前記車両の制動力の増加が必要であるか否かを判定する制動力増加要否判定手段と、
当該制動力増加要否判定手段による判定結果に応じて、前記制動力増加装置を制御する制御手段と、
前記電源の電圧を取得する電圧取得手段と、
前記クランキング手段によるクランキング時間を取得するクランキング時間取得手段と、を備え、
前記制動力増加装置は、第１制動力増加装置及び第２制動力増加装置を有し、
前記制御手段は、前記車両の制動力の増加が必要であると判定された場合において、前記クランキング中に取得された電源の電圧が所定電圧以上になるまで、前記第１及び第２制動力増加装置の作動を禁止し、前記電源の電圧が所定電圧以上になったときに、前記第１制動力増加装置を作動させ、その後、前記取得されたクランキング時間が所定時間に達したときに、前記第２制動力増加装置を作動させることを特徴とする車両の停止制御装置。
【請求項３】
前記制御手段は、前記第１制動力増加装置の作動を開始した後、第３所定時間が経過したときに、当該第１制動力増加装置を停止させ、前記第２制動力増加装置の作動を開始した後、第４所定時間が経過したときに、当該第２制動力増加装置を停止させることを特徴とする、請求項１又は２に記載の車両の停止制御装置。
【請求項４】
前記車両が停車している路面の勾配を検出する路面勾配検出手段と、
当該検出された路面の勾配に応じて前記第３所定時間を設定する所定時間設定手段と、をさらに備えることを特徴とする、請求項３に記載の車両の停止制御装置。
【請求項５】
前記第１制動力増加装置は、前記第２制動力増加装置よりも、電力が供給されてから制動力を発生させるまでの応答時間が短いという特性を有することを特徴とする、請求項１ないし４のいずれかに記載の車両の停止制御装置。
【請求項６】
前記制動装置は、ホイールシリンダに供給されるブレーキ液圧によって前記車両を制動するように構成されており、
前記ホイールシリンダ内のブレーキ液圧を検出するホイールシリンダ圧検出手段をさらに備え、
前記制動力増加要否判定手段は、前記検出されたホイールシリンダ内のブレーキ液圧が所定圧力以下に低下したときに、前記制動力増加装置による制動力の増加が必要であると判定することを特徴とする、請求項１ないし５のいずれかに記載の車両の停止制御装置。
【請求項７】
前記制御手段は、前記第１制動力増加装置を作動させた後、前記ホイールシリンダのブレーキ液圧が前記所定圧力を上回ったときに、前記第１制動力増加装置を停止させることを特徴とする、請求項６に記載の車両の停止制御装置。
【請求項８】
前記車両が停車している路面の勾配を検出する路面勾配検出手段と、
当該検出された路面の勾配に応じて前記所定圧力を設定する所定圧力設定手段と、をさらに備えることを特徴とする、請求項６又は７に記載の車両の停止制御装置。
【請求項９】
前記車両の速度を検出する車速検出手段をさらに備え、
前記制動力増加要否判定手段は、前記検出された車両の速度が０でないときに、前記制動力増加装置による制動力の増加が必要であると判定することを特徴とする、請求項１ないし５のいずれかに記載の車両の停止制御装置。
【手続補正２】
【補正対象書類名】明細書
【補正対象項目名】０００８
【補正方法】変更
【補正の内容】
【０００８】
この目的を達成するために、本願の請求項１に係る発明は、制動装置５を有する車両Ｖに搭載された内燃機関３を、所定の停止条件が成立したときに停止させ、所定の再始動条件が成立したときに再始動させるとともに、車両Ｖの停車中、制動装置５による制動力を補うために車両Ｖの制動力を増加させるように制御する車両の停止制御装置であって、再始動条件が成立したときに、所定の電源（実施形態における（以下、本項において同じ）バッテリ７）から供給される電力を用いて内燃機関３をクランキングするクランキング手段（スタータモータ６）と、電源から供給される電力によって駆動され、車両Ｖの制動力を増加させるための制動力増加装置（液圧ポンプ５５、電動ブレーキ２０）と、車両Ｖの停車中、制動力増加装置による車両Ｖの制動力の増加が必要であるか否かを判定する制動力増加要否判定手段（ＥＣＵ２、図６）と、制動力増加要否判定手段による判定結果に応じて、制動力増加装置を制御する制御手段（ＥＣＵ２）と、クランキング手段によるクランキング時間ＴＭＣＲＫを取得するクランキング時間取得手段（ＥＣＵ２）と、を備え、制動力増加装置は、第１制動力増加装置（液圧ポンプ５５）及び第２制動力増加装置（電動ブレーキ２０）を有し、制御手段は、車両Ｖの制動力の増加が必要であると判定された場合において、取得されたクランキング時間ＴＭＣＲＫが第１所定時間ＴＲＥＦ１に達するまで、第１及び第２制動力増加装置の作動を禁止し、クランキング時間ＴＭＣＲＫが第１所定時間ＴＲＥＦ１に達したときに、クランキングを継続しながら第１制動力増加装置を作動させ、その後、クランキング時間ＴＭＣＲＫが第１所定時間ＴＲＥＦ１よりも大きな第２所定時間ＴＲＥＦ２に達したときに、クランキングを継続しながら第２制動力増加装置を作動させること（図１３のステップ６１〜６３、６７、７４）を特徴とする。
【手続補正３】
【補正対象書類名】明細書
【補正対象項目名】００１０
【補正方法】変更
【補正の内容】
【００１０】
また、本発明の停止制御装置によれば、クランキング手段と共通の電源から供給される電力によって駆動される制動力増加装置を備えるとともに、車両の停車中、制動力増加装置による車両の制動力の増加が必要であるか否かが判定され、その判定結果に応じて、制動力増加装置が制御される。この制動力増加装置は、第１制動力増加装置及び第２制動力増加装置を有する。また、車両の制動力の増加が必要であると判定された場合において、取得されたクランキング時間が第１所定時間に達するまで、第１及び第２制動力増加装置の作動が禁止され、クランキング時間が第１所定時間に達したときに、クランキングを継続しながら第１制動力増加装置を作動させ、その後、クランキング時間が第１所定時間よりも大きな第２所定時間に達したときに、クランキングを継続しながら第２制動力増加装置を作動させる。
【手続補正４】
【補正対象書類名】明細書
【補正対象項目名】００１１
【補正方法】変更
【補正の内容】
【００１１】
以上のように、クランキングの開始後、第１所定時間が経過するまで、制動力増加装置の作動が禁止されるので、その作動による電源の電圧の低下を防止しながら、クランキング及び再始動を安定して行うことができる。また、クランキング時間が第１所定時間に達したときに第１制動力増加装置を作動させるので、車両の制動力を可能な限り速やかに増加させることができ、アイドルストップ中の車両の移動を確実に防止することができる。さらに、クランキング時間が第１所定時間よりも大きな第２所定時間に達したときに、第２制動力増加装置を作動させることによって、車両の制動力を段階的に増加させるので、車両を効率的かつ強固に制動でき、アイドルストップ中の車両の移動を確実に防止することができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１６
【補正方法】変更
【補正の内容】
【００１６】
また、前記目的を達成するために、請求項２に係る発明は、制動装置５を有する車両Ｖに搭載された内燃機関３を、所定の停止条件が成立したときに停止させ、所定の再始動条件が成立したときに再始動させるとともに、車両Ｖの停車中、制動装置５による制動力を補うために車両Ｖの制動力を増加させるように制御する車両の停止制御装置であって、再始動条件が成立したときに、所定の電源（実施形態における（以下、本項において同じ）バッテリ７）から供給される電力を用いて内燃機関３をクランキングするクランキング手段（スタータモータ６）と、電源から供給される電力によって駆動され、車両Ｖの制動力を増加させるための制動力増加装置（液圧ポンプ５５、電動ブレーキ２０）と、車両Ｖの停車中、制動力増加装置による車両Ｖの制動力の増加が必要であるか否かを判定する制動力増加要否判定手段（ＥＣＵ２、図６）と、制動力増加要否判定手段による判定結果に応じて、制動力増加装置を制御する制御手段（ＥＣＵ２）と、電源の電圧（バッテリ電圧ＶＢ）を取得する電圧取得手段（電圧センサ６８）と、クランキング手段によるクランキング時間ＴＭＣＲＫを取得するクランキング時間取得手段（ＥＣＵ２）を備え、制動力増加装置は、第１制動力増加装置（液圧ポンプ５５）及び第２制動力増加装置（電動ブレーキ２０）を有し、制御手段は、車両Ｖの制動力の増加が必要であると判定された場合において、クランキング中に取得された電源の電圧が所定電圧ＶＲＥＦ以上になるまで、第１及び第２制動力増加装置の作動を禁止し、電源の電圧が所定電圧ＶＲＥＦ以上になったときに、第１制動力増加装置を作動させ、その後、取得されたクランキング時間ＴＭＣＲＫが所定時間（第２所定時間ＴＲＥＦ２）に達したときに、第２制動力増加装置を作動させること（図１５のステップ６１Ａ、６２、６３、６７、７４）を特徴とする。
【手続補正８】
【補正対象書類名】明細書
【補正対象項目名】００１７
【補正方法】変更
【補正の内容】
【００１７】
電源から供給される電力を用いてクランキングを行う場合、一般に、その電源の電圧は、クランキングの開始直後に大きく低下し、その後、徐々に上昇し、回復するという特性を有する。上記の構成によれば、クランキングの開始後、取得された電源の電圧が所定電圧以上になるまで、第１及び第２制動力増加装置の作動が禁止されるので、その作動による電源の電圧の低下を防止しながら、クランキング及び再始動を安定して行うことができる。また、その後、電源の電圧が所定電圧以上になったときに、第１制動力増加装置を作動させるので、電源の電圧が実際に十分に回復した状態で、制動力増加装置の作動を良好に行うことができる。また、その後、クランキングの開始時から所定時間が経過したときに、第２制動力増加装置を作動させるので、車両の制動力をさらに増加させ、車両をより強固に制動でき、アイドルストップ中の車両の移動を確実に防止することができる。
【手続補正９】
【補正対象書類名】明細書
【補正対象項目名】００１８
【補正方法】変更
【補正の内容】
【００１８】
請求項３に係る発明は、請求項１又は２に記載の車両の停止制御装置において、制御手段は、第１制動力増加装置の作動を開始した後、第３所定時間（所定時間ＴＢＲＲＥＦ１）が経過したときに、第１制動力増加装置を停止させ、第２制動力増加装置の作動を開始した後、第４所定時間（所定時間ＴＢＲＲＥＦ２）が経過したときに、第２制動力増加装置を停止させること（図１３のステップ６８、６９、７５、７６）を特徴とする。
【手続補正１０】
【補正対象書類名】明細書
【補正対象項目名】００２０
【補正方法】変更
【補正の内容】
【００２０】
請求項４に係る発明は、請求項３に記載の車両の停止制御装置において、車両Ｖが停車している路面の勾配ＡＳＬＰを検出する路面勾配検出手段（加速度センサ６７）と、検出された路面の勾配ＡＳＬＰに応じて第３所定時間を設定する所定時間設定手段（ＥＣＵ２）と、をさらに備えることを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
請求項５に係る発明は、請求項１ないし４のいずれかに記載の車両の停止制御装置において、第１制動力増加装置は、第２制動力増加装置よりも、電力が供給されてから制動力を発生させるまでの応答時間が短いという特性を有することを特徴とする。
【手続補正１６】
【補正対象書類名】明細書
【補正対象項目名】００２８
【補正方法】変更
【補正の内容】
【００２８】
請求項６に係る発明は、請求項１ないし５のいずれかに記載の車両の停止制御装置において、制動装置５は、ホイールシリンダ１６に供給されるブレーキ液圧によって車両Ｖを制動するように構成されており、ホイールシリンダ１６内のブレーキ液圧（ホイールシリンダ圧ＰＷＣ）を検出するホイールシリンダ圧検出手段（ホイールシリンダ圧センサ６２）をさらに備え、制動力増加要否判定手段は、検出されたホイールシリンダ１６内のブレーキ液圧が所定圧力ＰＲＥＦ以下に低下したときに、制動力増加装置による制動力の増加が必要であると判定すること（図６のステップ２４、２５）を特徴とする。
【手続補正１７】
【補正対象書類名】明細書
【補正対象項目名】００３０
【補正方法】変更
【補正の内容】
【００３０】
請求項７に係る発明は、請求項６に記載の車両の停止制御装置において、制御手段は、第１制動力増加装置を作動させた後、ホイールシリンダのブレーキ液圧が所定圧力ＰＲＥＦを上回ったときに、第１制動力増加装置を停止させることを特徴とする。
【手続補正１８】
【補正対象書類名】明細書
【補正対象項目名】００３２
【補正方法】変更
【補正の内容】
【００３２】
請求項８に係る発明は、請求項６又は７に記載の車両の停止制御装置において、車両Ｖが停車している路面の勾配ＡＳＬＰを検出する路面勾配検出手段（加速度センサ６７）と、検出された路面の勾配ＡＳＬＰに応じて所定圧力ＰＲＥＦを設定する所定圧力設定手段（ＥＣＵ２、図６のステップ２３、図７）と、をさらに備えることを特徴とする。
【手続補正１９】
【補正対象書類名】明細書
【補正対象項目名】００３４
【補正方法】変更
【補正の内容】
【００３４】
請求項９に係る発明は、請求項１ないし５のいずれかに記載の車両の停止制御装置において、車両Ｖの速度（車速ＶＰ）を検出する車速検出手段（車輪速センサ６４）をさらに備え、制動力増加要否判定手段は、検出された車両の速度が０でないときに、制動力増加装置による制動力の増加が必要であると判定すること（図６のステップ２６、２５）を特徴とする。
【国際調査報告】
2014076753.tif 000022
2014076753.tif 000023
2014076753.tif 000024
2014076753.tif 000025